(57)【要約】本発明は、液体レンズ及び電圧制御回路を含み、液体レンズは、伝導性液体及び非伝導性液体が配置されるキャビティを含む第１プレートと、前記第１プレートの上に配置される第２プレートと、前記第１プレートの下に配置される第３プレートとを含み、前記共通電極は前記第１プレートの一側に配置され、前記複数の個別電極は前記第１プレートの他側に配置され、前記電圧制御回路は、第１電圧を出力する第１電圧発生器と、前記第１電圧発生器の出力端とグラウンド電圧との間に配置されるＤＣバイアス端とを含み、前記スイッチング部は、前記第１電圧とグラウンド電圧の中で一つを選択して前記複数の個別電極に伝達する複数の第１スイッチと、前記第１電圧とグラウンド電圧の中で一つを選択して前記共通電極に伝達する第２スイッチとを含むカメラモジュールを提供する。【選択図】図２
2021515262.tif 000002
【特許請求の範囲】
【請求項１】
液体レンズ、電圧制御回路及びスイッチング部を含み、
前記液体レンズは、
伝導性液体及び非伝導性液体が配置されるキャビティを含む第１プレートと、
前記第１プレートの上に配置される第２プレートと、
前記第１プレートの下に配置される第３プレートと、を含み、
前記共通電極は、前記第１プレートの一側に配置され、
前記複数の個別電極は、前記第１プレートの他側に配置され、
前記電圧制御回路は、
第１電圧を出力する第１電圧発生器と、
前記第１電圧発生器の出力端とグラウンド電圧との間に配置されるＤＣバイアス端と、を含み、
前記スイッチング部は、
前記第１電圧とグラウンド電圧の中で一つを選択して前記複数の個別電極に伝達する複数の第１スイッチと、
前記第１電圧とグラウンド電圧の中で一つを選択して前記共通電極に伝達する第２スイッチと、を含む、カメラモジュール。
【請求項２】
前記複数の個別電極又は前記共通電極に、前記第１電圧は、既定の時間の間に印加され、
前記第１電圧が印加された後、前記既定の時間の間に、前記第１電圧より低いが前記グラウンド電圧より高い第２電圧は、前記複数の個別電極又は前記共通電極に印加される、請求項１に記載のカメラモジュール。
【請求項３】
前記第１電圧と前記第２電圧との和は、７０Ｖであり、
前記第１電圧と前記第２電圧との比率は、前記ＤＣバイアス端に含まれた抵抗の大きさに対応する、請求項２に記載のカメラモジュール。
【請求項４】
前記第１電圧は、４０Ｖであり、
前記第２電圧は、３０Ｖである、請求項３に記載のカメラモジュール。
【請求項５】
前記ＤＣバイアス端は、前記第１電圧発生器の出力端とグラウンド電圧との間に配置される抵抗を含む、請求項３に記載のカメラモジュール。
【請求項６】
前記第１電圧発生器は、前記既定の時間の間に前記第１電圧を出力し、
前記複数の第１スイッチ又は前記第２スイッチは、前記既定の時間の２倍の間に前記複数の個別電極又は前記共通電極と前記第１電圧発生器とを連結する、請求項３に記載のカメラモジュール。
【請求項７】
前記第１電圧発生器、前記複数の第１スイッチ、及び前記第２スイッチを制御する制御部をさらに含み、
前記制御部は、
前記第１電圧発生器を活性化させる第１制御信号と、
前記複数の第１スイッチを活性化させる複数の第２制御信号と、
前記第２スイッチを活性化させる第３制御信号と、を出力する、請求項１に記載のカメラモジュール。
【請求項８】
前記第１制御信号、前記複数の第２制御信号及び前記第３制御信号は、パルス幅変調（Pulse Width Modulation、ＰＷＭ）信号であり、
前記第１制御信号の活性化区間より、前記複数の第２制御信号及び前記第３制御信号の活性化区間は、２倍長い、請求項７に記載のカメラモジュール。
【請求項９】
前記複数の個別電極の数、前記複数の第１スイッチの数及び前記複数の第２制御信号の数は、４の倍数であり、全てが同一である、請求項１に記載のカメラモジュール。
【請求項１０】
前記第１電圧発生器は、任意の直流電源を負荷が要求する形態の直流電源に変換させるＤＣ−ＤＣコンバーターを含む、請求項１に記載のカメラモジュール。
【発明の詳細な説明】
【技術分野】
【０００１】
本発明は液体レンズ及びこれを含むカメラモジュール及び光学機器に関するものである。より具体的に、本発明は電気エネルギーを用いて焦点距離を調整することができる液体レンズを制御するための制御モジュール又は制御装置を含むカメラモジュール及び光学機器に関するものである。
【背景技術】
【０００２】
携帯用装置の使用者は、高解像度を有し、サイズが小さくて多様な撮影機能（例えば、光学ズーム機能（ｚｏｏｍ−ｉｎ／ｚｏｏｍ−ｏｕｔ）、オートフォーカシング（Ａｕｔｏ−Ｆｏｃｕｓｉｎｇ、ＡＦ）機能、手ぶれ補正又は光学式手ぶれ補正（Ｏｐｔｉｃａｌ  Ｉｍａｇｅ  Ｓｔａｂｉｌｉｚｅｒ、ＯＩＳ）機能など）を有する光学機器を望んでいる。このような撮影機能は多数のレンズを組み合わせて直接レンズを動かす方法で具現化することができるが、レンズの数を増加させる場合、光学機器のサイズが大きいことができる。オートフォーカスと手ぶれ補正の機能は、レンズホルダーに固定されて光軸が整列された多数のレンズモジュールが、光軸方向又は光軸の垂直方向に移動するかティルティング（Ｔｉｌｔｉｎｇ）することによって遂行され、レンズモジュールを駆動させるために別途のレンズ駆動装置が使われる。しかし、レンズ駆動装置は、電力消費が大きく、これを保護するために、カメラモジュールとは別にカバーガラスを追加しなければならないが、全体の厚さが厚くなる。したがって、２種液体の界面の曲率を電気的に調節してオートフォーカスと手ぶれ補正の機能をする液体レンズについての研究が行われている。
【発明の概要】
【発明が解決しようとする課題】
【０００３】
本発明は、電気エネルギーを用いて焦点距離を調整することができる液体レンズを含むカメラ装置を搭載した携帯用機器において液体レンズに含まれた界面の状態を制御するための駆動電圧の大きさを小さくすることで、駆動電圧を生成する過程で発生する放射ノイズによる電磁波妨害（Ｅｌｅｃｔｒｏ  Ｍａｇｎｅｔｉｃ  Ｉｎｔｅｒｆｅｒｅｎｃｅ、ＥＭＩ）を減らすことができる。
【０００４】
また、本発明は、液体レンズを含むカメラ装置が搭載された無線通信機器においてカメラ装置の使用中にも無線通信のためのアンテナの送受信感度に及ぶ影響を減らし、無線通信機器を介しての映像通話又はマルチテスキングを円滑に支援することができる。
【０００５】
また、本発明は、液体レンズを含むカメラモジュールの大きさを減らすことができ、携帯用機器に搭載されても組立マージンを容易に確保することができる。
【０００６】
本発明で達成しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【０００７】
本発明の一実施例によるカメラモジュールは、液体レンズ、電圧制御回路及びスイッチング部を含み、前記液体レンズは、伝導性液体及び非伝導性液体が配置されるキャビティを含む第１プレートと、前記第１プレート上に配置される第２プレートと、前記第１プレートの下に配置される第３プレートとを含み、前記共通電極は前記第１プレートの一側に配置され、前記複数の個別電極は前記第１プレートの他側に配置され、前記電圧制御回路は、第１電圧を出力する第１電圧発生器と、前記第１電圧発生器の出力端とグラウンド電圧との間に配置されるＤＣバイアス端とを含み、前記スイッチング部は、前記第１電圧とグラウンド電圧の中で一つを選択して前記複数の個別電極に伝達する複数の第１スイッチと、前記第１電圧とグラウンド電圧の中で一つを選択して前記共通電極に伝達する第２スイッチとを含むことができる。
【０００８】
また、前記複数の個別電極又は前記共通電極に前記第１電圧は既定の時間の間に印加され、前記第１電圧が印加された後、前記既定の時間の間に、前記第１電圧より低いが前記グラウンド電圧より高い第２電圧が前記複数の個別電極又は前記共通電極に印加されることができる。
【０００９】
また、前記第１電圧と前記第２電圧の和は７０Ｖであり、前記第１電圧と前記第２電圧の比率は前記ＤＣバイアス端に含まれた抵抗の大きさに対応することができる。
【００１０】
また、前記第１電圧は４０Ｖであり、前記第２電圧は３０Ｖであり得る。
【００１１】
また、前記ＤＣバイアス端は、前記第１電圧発生器の出力端とグラウンド電圧との間に配置される抵抗を含むことができる。
【００１２】
また、前記第１電圧発生器は、前記既定の時間の間に前記第１電圧を出力し、前記複数の第１スイッチ又は前記第２スイッチは、前記既定の時間の２倍の間に前記複数の個別電極又は前記共通電極と前記第１電圧発生器を連結することができる。
【００１３】
また、前記カメラモジュールは、前記第１電圧発生器、前記複数の第１スイッチ、及び前記第２スイッチを制御する制御部をさらに含み、前記制御部は、前記第１電圧発生器を活性化させる第１制御信号と、前記複数の第１スイッチを活性化させる複数の第２制御信号と、前記第２スイッチを活性化させる第３制御信号とを出力することができる。
【００１４】
また、前記第１制御信号、前記複数の第２制御信号及び前記第３制御信号はパルス幅変調（Ｐｕｌｓｅ  Ｗｉｄｔｈ  Ｍｏｄｕｌａｔｉｏｎ、ＰＷＭ）信号であり、前記第１制御信号の活性化区間より前記複数の第２制御信号及び前記第３制御信号の活性化区間が２倍長いことができる。
【００１５】
また、前記複数の個別電極の数、前記複数の第１スイッチの数及び前記複数の第２制御信号の数は４の倍数であり、全てが同一であり得る。
【００１６】
また、前記第１電圧発生器は、任意の直流電源を負荷が要求する形態の直流電源に変換させるＤＣ−ＤＣコンバーターを含むことができる。
【００１７】
前記本発明の様態は本発明の好適な実施例の一部に過ぎなく、本発明の技術的特徴が反映された多様な実施例が当該技術分野の通常的な知識を有する者によって以下で詳述する本発明の詳細な説明に基づいて導出されて理解されることができる。
【発明の効果】
【００１８】
本発明による装置の効果について説明すれば次のようである。
【００１９】
本発明は、液体レンズ内の界面の動きのために供給する電圧の大きさを減らすことができ、電圧を生成する過程で発生する放射ノイズを減らすことができる方法及び装置を提供することができる。
【００２０】
また、本発明は、液体レンズを駆動する電圧の大きさが低くなり、電圧を生成するための昇圧回路の大きさを減らすことができ、カメラモジュールをより小型化することができる。
【００２１】
また、本発明は、無線通信機能をすることができる携帯用機器に液体レンズを含むカメラモジュールを適用する場合に発生し得るアンテナ受信感度の低下を改善することができる。
【００２２】
本発明で得られる効果は以上で言及した効果に制限されず、言及しなかった他の効果は下記の記載から本発明が属する分野で通常の知識を有する者に明らかに理解可能であろう。
【図面の簡単な説明】
【００２３】
【図１】一実施例によるカメラモジュールの概略側面図を示す。
【図２】図１に示したカメラモジュールの一実施例の分解斜視図を示す。
【図３】図２に示したカメラモジュールの断面図を示す。
【図４】図１及び図３に示したホルダー及び液体レンズ部を説明するための図である。
【図５】前述した実施例による液体レンズを含む液体レンズ部の実施例の断面図を示す。
【図６】カメラモジュールの概略ブロック図である。
【図７（ａ）】駆動電圧に応じて界面が調整される液体レンズを説明するための図である。
【図７（ｂ）】駆動電圧に応じて界面が調整される液体レンズを説明するための図である。
【図８】ＥＭＩ改善のためのカメラモジュールの概略ブロック図である。
【図９（ａ）】図８で説明した電圧制御回路とスイッチング部を説明する。
【図９（ｂ）】図８で説明した電圧制御回路とスイッチング部を説明する。
【図１０】図９（ａ）に示した電圧制御回路を説明する。
【図１１】図９（ｂ）に示した電圧制御回路を説明する。
【図１２】図９（ａ）及び図９（ｂ）に示した電圧制御回路を含むカメラモジュールを比較して説明する図である。
【発明を実施するための形態】
【００２４】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものに理解されなければならない。
【００２５】
“第１”、“第２”などの用語は多様な構成要素を説明するのに使えるが、前記構成要素は前記用語によって限定されてはいけない。前記用語は一構成要素を他の構成要素と区別する目的のみで使われる。また、実施例の構成及び作用を考慮して特別に定義された用語は実施例を説明するためのものに過ぎず、実施例の範囲を限定するものではない。
【００２６】
実施例の説明において、各要素（ｅｌｅｍｅｎｔ）の“上又は下（ｏｎ  ｏｒ  ｕｎｄｅｒ）”に形成されるものとして記載される場合、上又は下（ｏｎ  ｏｒ  ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ  ｏｒ  ｕｎｄｅｒ）”と表現される場合、１個の要素（ｅｌｅｍｅｎｔ）を基準に上方だけでなく下方の意味も含むことができる。
【００２７】
また、以下で使われる“上／上部／上の”及び“下／下部／下の”などの関係的用語は、そのような実体又は要素間のある物理的又は論理的関係又は手順を必ず要求するか内包しなく、ある一つの実体又は要素を他の実体又は要素と区別するために用いることもできる。
【００２８】
本出願で使用した用語は単に特定の実施例を説明するために使用したものであり、本発明を限定しようとするものではない。単数の表現は、文脈上明白に他に指示しない限り、複数の表現を含む。本出願で、“含む”又は“有する”などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解しなければならない。
【００２９】
特に他に定義しない限り、技術的又は科学的な用語を含めてここで使われる全ての用語は本発明が属する技術分野で通常の知識を有する者が一般的に理解しているものと同じ意味を有することができる。一般的に使われる辞書に定義されているもののような用語は関連技術の文脈上で有する意味と一致する意味を有するものと解釈されなければならなく、本出願で明白に定義しない限り、理想的に又は過度に形式的な意味と解釈されない。
【００３０】
以下、実施例によるレンズアセンブリー及びこれを含むカメラモジュールをデカルト座標系に基づいて説明するが、実施例はこれに限られない。すなわち、デカルト座標系によれば、ｘ軸、ｙ軸及びｚ軸は互いに直交するが、実施例はこれに限られない。すなわち、ｘ軸、ｙ軸、ｚ軸は直交する代わりに互いに交差することができる。
【００３１】
以下、一実施例によるカメラモジュール１００を添付図面の図１〜図４に基づいて次のように説明する。
【００３２】
図１は一実施例によるカメラモジュール１００の概略側面図を示す。
【００３３】
図１を参照すると、カメラモジュール１００は、レンズアセンブリー２２、制御回路２４及びイメージセンサー２６を含むことができる。
【００３４】
まず、レンズアセンブリー２２は、複数のレンズ部及び複数のレンズ部を収容するホルダーを含むことができる。後述するように、複数のレンズ部は液体レンズを含むことができ、第１レンズ部又は第２レンズ部をさらに含むことができる。複数のレンズ部は、第１及び第２レンズ部及び液体レンズ部を含むことができる。
【００３５】
制御回路２４は、液体レンズ部に駆動電圧（又は、動作電圧）を供給する役割をする。
【００３６】
前述した制御回路２４とイメージセンサー２６は単一のプリント基板（ＰＣＢ：Ｐｒｉｎｔｅｄ  Ｃｉｒｃｕｉｔ  Ｂｏａｒｄ）上に配置されることができるが、これは一例に過ぎず、実施例はこれに限られない。
【００３７】
実施例によるカメラモジュール１００が光学機器（Ｏｐｔｉｃａｌ  Ｄｅｖｉｃｅ、Ｏｐｔｉｃａｌ  Ｉｎｓｔｒｕｍｅｎｔ）に適用される場合、制御回路２４の構成は光学機器で要求する仕様によって違うように設計されることができる。特に、制御回路２４は単一のチップ（ｓｉｎｇｌｅ  ｃｈｉｐ）から具現化され、レンズアセンブリー２２に印加される駆動電圧の強度を減らすことができる。これにより、携帯用装置に搭載される光学機器の大きさがもっと小さいことができる。
【００３８】
図２は図１に示したカメラモジュール１００の一実施例による分解斜視図を示す。
【００３９】
図２を参照すると、カメラモジュール１００は、レンズアセンブリー、メイン基板１５０及びイメージセンサー１８２を含むことができる。また、カメラモジュール１００は、第１カバー１７０及びミドルベース１７２をさらに含むことができる。また、カメラモジュール１００は、少なくとも一つの接着部材をさらに含むことができる。少なくとも一つの接着部材は、ホルダー１２０に液体レンズ部１４０を結合させるか固定させる役割をする。また、カメラモジュール１００は、センサーベース１７８及びフィルター１７６をさらに含むこともでき、図２に示したように、センサーベース１７８及びフィルター１７６を含まなくてもよい。また、カメラモジュール１００は、回路カバー１５４をさらに含むことができる。回路カバー１５４は電磁気遮蔽機能をすることができる。
【００４０】
また、図２に示したカメラモジュール１００は、センサーベース１７８及びフィルター１７６をさらに含む。
【００４１】
実施例によれば、図２に示したカメラモジュール１００Ｂの構成要素１１０〜１７６の少なくとも一つは省略することができる。もしくは、図２に示した構成要素１１０〜１７６と違う少なくとも一つの構成要素をカメラモジュール１００にさらに付け加えて含むこともできる。
【００４２】
図３は図２に示したカメラモジュール１００の断面図を示す。すなわち、図３は図２に示したカメラモジュール１００をＡ−Ａ’線に沿って切断した断面図を示す。説明の便宜上、図３で、図２に示した第１カバー１７０、回路カバー１５４及びコネクタ１５３の図示は省略し、実際にカメラモジュール１００から省略することもできる。
【００４３】
図２及び図３を参照すると、レンズアセンブリーは、液体レンズ部１４０、ホルダー１２０、第１レンズ部１１０、１１０Ａ、及び第２レンズ部１３０、１３０Ａの少なくとも一つを含むことができ、図１に示したレンズアセンブリー２２に相当することができる。このようなレンズアセンブリーはメイン基板１５０上に配置されることができる。
【００４４】
レンズアセンブリーで、液体レンズ部１４０と区別するために、第１レンズ部１１０及び第２レンズ部１３０を‘第１固体レンズ部’及び‘第２固体レンズ部’とそれぞれ呼ぶこともできる。
【００４５】
第１レンズ部１１０はレンズアセンブリーの上側に配置され、レンズアセンブリーの外部から光が入射する領域であり得る。すなわち、第１レンズ部１１０、１１０Ａはホルダー１２０内で液体レンズ部１４０上に配置されることができる。第１レンズ部１１０、１１０Ａは単一のレンズから具現化されることもでき、中心軸を基準に整列されて光学系をなす２個以上の複数のレンズから具現化されることもできる。
【００４６】
ここで、中心軸とは、カメラモジュール１００Ａに含まれた第１レンズ部１１０、１１０Ａ、液体レンズ部１４０及び第２レンズ部１３０、１３０Ａが形成する光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の光軸に相当することができる。すなわち、第１レンズ部１１０、１１０Ａ、液体レンズ部１４０、第２レンズ部１３０、１３０Ａ及びイメージセンサー１８２はアクティブアライン（ＡＡ：Ａｃｔｉｖｅ  Ａｌｉｇｎ）によって光軸ＬＸに整列されて配置されることができる。
【００４７】
ここで、アクティブアラインとは、より良いイメージ獲得のために、第１レンズ部１１０、１１０Ａ、第２レンズ部１３０、１３０Ａ及び液体レンズ部１４０のそれぞれの光軸を一致させ、イメージセンサー１８２とレンズ部１１０、１１０Ａ、１３０、１３０Ａ、１４０との間の軸又は距離関係を調節する動作を意味することができる。
【００４８】
一実施例で、アクティブアラインは、特定の客体から入射する光を第１レンズ部１１０、１１０Ａ、第２レンズ部１３０、１３０Ａ又は液体レンズ部１４０の少なくとも一つを通してイメージセンサー１８２が受信して生成したイメージデータを分析する動作によって遂行することができる。例えば、アクティブアラインは次のような手順で遂行することができる。
【００４９】
一例として、ホルダー１２０に固定されて装着された第１レンズ部１１０、１１０Ａと第２レンズ部１３０、１３０Ａ及びイメージセンサー１８２との間の相対的位置を調節するアクティブアライン（第１整列）が完了した後、ホルダー１２０に挿入された液体レンズ部１４０とイメージセンサー１８２との間の相対的位置を調節するアクティブアライン（第２整列）を遂行することができる。第１整列は、グリッパー（ｇｒｉｐｐｅｒ）がミドルベース１７２を把持した状態で多様な位置に変化させながら遂行することができ、第２整列は、グリッパーが液体レンズ部１４０のスペーサー１４３を把持した状態で多様な位置に変化させながら遂行することができる。
【００５０】
しかし、アクティブアラインは前述した手順とは違う手順で遂行することもできる。
【００５１】
仮に、ミドルベース１７２を省略する場合、グリッパーがホルダー１２０の突出部１２４を把持した状態でアクティブアラインを遂行することができる。ここで、突出部１２４の厚さが薄い場合、アクティブアラインを正確に遂行することができないこともある。これを防止するために、カメラモジュール１００Ａは、ホルダー１２０の突出部１２４より大きい厚さを有するミドルベース１７２を含むことができる。ミドルベース１７２の形状より相対的に複雑なホルダー１２０の形状を射出などで形成するために、ホルダー１２０の厚さ管理が必要であり得る。アクティブアラインのためのホルダー１２０部分の厚さがグリップに十分ではない場合、ミドルベース１７２を追加してミドルベース１７２部分をグリップしてアクティブアラインを遂行することができる。しかし、突出部１２４の厚さが充分に厚い場合、ミドルベース１７２は省略することができる。また、突出部１２４とミドルベース１７２は接着部材、例えばエポキシによって互いに結合することができる。
【００５２】
他の例で、ホルダー１２０に固定されて装着された第１レンズ部１１０、１１０Ａと第２レンズ部１３０、１３０Ａ及び液体レンズ部１４０との間の相対的位置を調節するアクティブアライン（第３整列）が完了した後、第３整列が完了したレンズアセンブリーのレンズとイメージセンサー１８２との間の相対的位置を調節するアクティブアライン（第４整列）を遂行することができる。第３整列は、液体レンズ部１４０のスペーサー１４３を把持した状態で多様な位置に変化させながら遂行することができ、第４整列は、グリッパー（ｇｒｉｐｐｅｒ）がミドルベース１７２を把持した状態で多様な位置に変化させながら遂行することができる。
【００５３】
また、図３に例示したように、第１レンズ部１１０Ａは、例えば２個のレンズＬ１、Ｌ２を含むことができるが、これは例示的なものであり、第１レンズ部１１０Ａに含まれたレンズの個数は１個又は３個以上であり得る。
【００５４】
また、第１レンズ部１１０、１１０Ａの上側に露出レンズが配置されることができる。ここで、露出レンズとは、第１レンズ部１１０、１１０Ａに含まれたレンズの中で最外殻レンズを意味することができる。すなわち、第１レンズ部１１０Ａの最上側に位置するレンズＬ１が上部に突出するので、露出レンズの機能をすることができる。露出レンズはホルダー１２０の外部に突出して表面が損傷する可能性を有する。仮に、露出レンズの表面が損傷する場合、カメラモジュール１００Ａで撮影されるイメージの画質が低下することができる。よって、露出レンズの表面損傷を防止及び抑制するために、露出レンズの上部にカバーガラス（ｃｏｖｅｒ  ｇｌａｓｓ）を配置するか、コーティング層を形成するか、露出レンズの表面損傷を防止するために、他のレンズ部のレンズより剛性の高い耐磨耗性素材から露出レンズを具現化することもできる。
【００５５】
また、第１レンズ部１１０Ａに含まれたレンズＬ１、Ｌ２のそれぞれの外径は下方（例えば、−ｚ軸方向）に行くほど増加することができるが、実施例はこれに限定されない。
【００５６】
図４は図２〜及び図３に示したホルダー１２０と液体レンズ部１４０を説明するための図である。すなわち、図４はホルダー１２０及び液体レンズ部１４０の分解斜視図を示す。図４に示したホルダー１２０は、第１及び第２ホールＨ１、Ｈ２と第１〜第４側壁とを含むことができる。
【００５７】
図２の場合、第１連結基板１４１と第２連結基板１４４が−ｚ軸方向にベンディングされる前の平面図を示す反面、図４の場合、第１連結基板１４１と第２連結基板１４４が−ｚ軸方向にベンディングされた後の形状を示す。また、図３に示したように、スペーサー１４３は、第１連結基板１４１と第２連結基板１４４との間に配置されることができ、ホルダー１２０の第１又は第２開口ＯＰ１、ＯＰ２の少なくとも一つから突出して配置されることができる。
【００５８】
また、スペーサー１４３はリング形状に液体レンズ１４２の側面を取り囲むように配置されることができる。スペーサー１４３の上部と下部には、接着物質による連結基板１４１、１４４との結合力を高めるために、凹凸部を含むことができる。連結基板１４１、１４４もスペーサー１４３の形状に対応することができ、リング形状を含むことができる。
【００５９】
第１及び第２ホールＨ１、Ｈ２はホルダー１２０の上部と下部にそれぞれ形成され、ホルダー１２０の上部と下部をそれぞれ開放させることができる。ここで、第１ホールＨ１及び第２ホールＨ２は貫通ホールであり得る。第１レンズ部１１０、１１０Ａは、ホルダー１２０の内部に形成された第１ホールＨ１に収容、装着、着座、接触、固定、仮固定、支持、結合、又は配置されることができ、第２レンズ部１３０、１３０Ａは、ホルダー１２０の内部に形成された第２ホールＨ２に収容、装着、着座、接触、固定、仮固定、支持、結合、又は配置されることができる。
【００６０】
また、ホルダー１２０の第１及び第２側壁は光軸ＬＸ方向に垂直な方向（例えば、ｘ軸方向）に互いに対面するように配置され、第３及び第４側壁は光軸ＬＸ方向に垂直な方向（例えば、ｙ軸方向）に互いに対面するように配置されることができる。また、図４に例示したように、ホルダー１２０で、第１側壁は第１開口ＯＰ１を含み、第２側壁は第１開口ＯＰ１と同一又は類似の形状の第２開口ＯＰ２を含むことができる。よって、第１側壁に配置された第１開口ＯＰ１と第２側壁に配置された第２開口ＯＰ２は光軸ＬＸ方向に垂直な方向（例えば、ｘ軸方向）に互いに対面するように配置されることができる。
【００６１】
第１及び第２開口ＯＰ１、ＯＰ２によって、液体レンズ部１４０が配置されるホルダー１２０の内部空間が開放することができる。ここで、液体レンズ部１４０は第１又は第２開口ＯＰ１、ＯＰ２を通して挿入され、ホルダー１２０の内部空間に装着、着座、接触、固定、仮固定、支持、結合、又は配置されることができる。例えば、液体レンズ部１４０は、第１開口ＯＰ１を通してホルダー１２０の内部空間に挿入されることができる。
【００６２】
このように、液体レンズ部１４０が第１又は第２開口ＯＰ１、ＯＰ２を通してホルダー１２０の内部空間に挿入されることができるように、光軸ＬＸ方向を基準にホルダー１２０の第１又は第２開口ＯＰ１、ＯＰ２のそれぞれの大きさは液体レンズ部１４０のｙ軸とｚ軸方向への断面積より大きいことができる。例えば、光軸ＬＸ方向に第１及び第２開口ＯＰ１、ＯＰ２のそれぞれの大きさに相当する高さＨは液体レンズ部１４０の厚さＴＯより大きいことができる。
【００６３】
第２レンズ部１３０、１３０Ａはホルダー１２０の内部で液体レンズ部１４０の下に配置されることができる。第２レンズ部１３０、１３０Ａは第１レンズ部１１０、１１０Ａから光軸方向（例えば、ｚ軸方向）に離隔して配置されることができる。
【００６４】
カメラモジュール１００Ａの外部から第１レンズ部１１０、１１０Ａに入射した光は液体レンズ部１４０を通過して第２レンズ部１３０、１３０Ａに入射することができる。第２レンズ部１３０、１３０Ａは単一のレンズから具現化されることもでき、中心軸を基準に整列されて光学系を形成する２個以上の複数のレンズから具現化されることもできる。例えば、図３に例示したように、第２レンズ部１３０Ａは、３個のレンズＬ３、Ｌ４、Ｌ５を含むことができるが、これは例示的なものであり、第２レンズ部１３０、１３０Ａに含まれたレンズの個数は２個以下又は４個以上であり得る。
【００６５】
また、第２レンズ部１３０Ａに含まれたレンズＬ３、Ｌ４、Ｌ５のそれぞれの外径は下部（例えば、−ｚ軸方向）に行くほど増加することができるが、実施例はこれに限定されない。
【００６６】
液体レンズ部１４０とは違い、第１レンズ部１１０、１１０Ａ及び第２レンズ部１３０、１３０Ａのそれぞれは固体レンズであり、ガラス又はプラスチックから具現化されることができるが、実施例は第１レンズ部１１０、１１０Ａ及び第２レンズ部１３０、１３０Ａのそれぞれの特定の素材に限られない。
【００６７】
また、図３を参照すると、液体レンズ部１４０は、第１〜第５領域Ａ１、Ａ２、Ａ３、Ａ４、Ａ５を含むことができる。
【００６８】
第１領域Ａ１はホルダー１２０の第１開口ＯＰ１の内部に配置された領域であり、第２領域Ａ２はホルダー１２０の第２開口ＯＰ２の内部に配置された領域であり、第３領域Ａ３は第１領域Ａ１と第２領域Ａ２との間の領域である。第４領域Ａ４はホルダー１２０の第１開口ＯＰ１から突出する領域であって、第１開口ＯＰ１側でホルダー１２０の外部に配置された領域である。第５領域Ａ５はホルダー１２０の第２開口ＯＰ２から突出する領域であって、第２開口ＯＰ２側でホルダー１２０の外部に配置された領域である。
【００６９】
また、図２に示したように、液体レンズ部１４０は、第１連結基板（又は、個別電極連結基板）１４１、液体レンズ（又は、液体レンズ本体）１４２、スペーサー１４３及び第２連結基板（又は、共通電極連結基板）１４４を含むことができる。
【００７０】
第１連結基板１４１は、液体レンズ１４２に含まれた複数の第１電極（図示せず）をメイン基板１５０に電気的に連結し、液体レンズ１４２上に配置されることができる。第１連結基板１４１はフレキシブルプリント回路基板（ＦＰＣＢ：Ｆｌｅｘｉｂｌｅ  Ｐｒｉｎｔｅｄ  Ｃｉｒｃｕｉｔ  Ｂｏａｒｄ）から具現化されることができる。
【００７１】
また、第１連結基板１４１は、複数の第１電極のそれぞれと電気的に連結された連結パッド（図示せず）を介してメイン基板１５０上に形成された電極パッド（図示せず）と電気的に連結されることができる。このために、液体レンズ部１４０がホルダー１２０の内部空間に挿入された後、第１連結基板１４１はメイン基板１５０に向かって−ｚ軸方向にベンディング（ｂｅｎｄｉｎｇ）された後、連結パッド（図示せず）と電極パッド（図示せず）は伝導性エポキシ（ｃｏｎｄｕｃｔｉｖｅ  ｅｐｏｘｙ）を介して電気的に連結されることができる。他の実施例で、第１連結基板１４１はホルダー１２０の表面に配置、形成、又はコートされた導電性第１ホルダーの表面電極と連結され、ホルダー１２０の表面に配置された導電性第１ホルダー表面電極を介してメイン基板１５０と電気的に連結されることができるが、実施例はこれに限定されない。
【００７２】
第２連結基板１４４は、液体レンズ１４２に含まれた第２電極（図示せず）をメイン基板１５０に電気的に連結し、液体レンズ１４２の下に配置されることができる。第２連結基板１４４はＦＰＣＢ又は単一メタル基板（伝導性メタルプレート）から具現化されることができる。ここで、第１及び第２電極については、後述される図５を参照して詳細に説明する。
【００７３】
第２連結基板１４４は、第２電極と電気的に連結された連結パッドを介してメイン基板１５０上に形成された電極パッドと電気的に連結されることができる。このために、液体レンズ部１４０がホルダー１２０の内部空間に挿入された後、第２連結基板１４４はメイン基板１５０に向かって−ｚ軸方向にベンディングされることができる。他の実施例で、第２連結基板１４４はホルダー１２０の表面に配置、形成、又はコートされた導電性第２ホルダー表面電極と連結され、ホルダー１２０の表面に配置された導電性第２ホルダーの表面電極を介してメイン基板１５０と電気的に連結されることができるが、実施例はこれに限定されない。
【００７４】
液体レンズ１４２は、キャビティ（ＣＡ：ｃａｖｉｔｙ）を含むことができる。図３に示したように、キャビティＣＡで光が入射する方向の開口面積は反対方向の開口面積より小さいことができる。もしくは、キャビティＣＡの傾斜方向が反対になるように液体レンズ１４２が配置されることもできる。すなわち、図３に示したものとは違い、キャビティＣＡで光が入射する方向の開口面積は反対方向の開口面積より大きいことができる。また、キャビティＣＡの傾斜方向が反対になるように液体レンズ１４２が配置されるとき、液体レンズ１４２の傾斜方向によって、液体レンズ１４２に含まれた構成の配置全体又は一部が一緒に変わるか、キャビティＣＡの傾斜方向のみ変更され、残りの構成の配置は変わらないこともできる。その他、液体レンズ１４２の細部構成については図５を参照して詳細に後述する。
【００７５】
スペーサー１４３は液体レンズ１４２を取り囲むように配置され、液体レンズ１４２を外部衝撃から保護することができる。このために、スペーサー１４３は、液体レンズ１４２がその内部に装着、着座、接触、固定、仮固定、支持、結合、又は配置されることができる形状を有することができる。
【００７６】
例えば、スペーサー１４３は、液体レンズ１４２を収容する中空１４３Ｈ及び中央に形成された中空１４３Ｈを取り囲むフレームを含むことができる。このように、スペーサー１４３は中央が開けられた四角平面形状（以下、‘ロ’字形状という）を有することができるが、実施例はこれに限られない。
【００７７】
また、スペーサー１４３は第１連結基板１４１と第２連結基板１４４との間に配置されることができ、ホルダー１２０の第１又は第２開口ＯＰ１、ＯＰ２の少なくとも一つから突出して配置されることができる。すなわち、スペーサー１４３の少なくとも一部は第１及び第２連結基板１４１、１４４とともに光軸ＬＸに垂直な方向（例えば、ｘ軸方向）にホルダー１２０の第１又は第２側壁の少なくとも一つから突出した形状を有することができる。これは、スペーサー１４３のｘ軸方向への長さがホルダー１２０のｘ軸方向への長さより長いからである。よって、スペーサー１４３で第１及び第２側壁から突出した部分は図３に示した第４領域Ａ４及び第５領域Ａ５にそれぞれ相当することができる。
【００７８】
また、スペーサー１４３がホルダー１２０に挿入されるときとアクティブアライン過程で、スペーサー１４３はグリッパーと接触することができる。
【００７９】
また、スペーサー１４３の少なくとも一部は第１開口ＯＰ１又は第２開口ＯＰ２の少なくとも一つの内部に配置されることができる。たとえ、図３の場合、スペーサー１４３が第１開口ＯＰ１と第２開口ＯＰ２に配置されていないもののように図示されている。しかし、これとは違い、図２及び図４に例示したように、スペーサー１４３は‘ロ’字形状を有し、液体レンズ１４２を取り囲むので、スペーサー１４３の少なくとも一部が第１及び第２開口ＯＰ１、ＯＰ２のそれぞれの内部に配置されることが分かる。
【００８０】
また、液体レンズ１４２の少なくとも一部は第１開口ＯＰ１又は第２開口ＯＰ２の少なくとも一つの内部に配置されることができる。図３を参照すると、液体レンズ１４２の構成要素である液体レンズ１４２の第１プレート１４７が第１及び第２開口ＯＰ１、ＯＰ２のそれぞれの内部に配置されることが分かる。
【００８１】
また、第１及び第２開口ＯＰ１、ＯＰ２のそれぞれの内部にスペーサー１４３の少なくとも一部のみ配置され、液体レンズ１４２は配置されないこともできる。
【００８２】
また、図３を参照すると、ホルダー１２０は、液体レンズ部１４０上に配置されたホルダー上部領域１２０Ｕ及び液体レンズ部１４０の下に配置されたホルダー下部領域１２０Ｄを含むことができる。ここで、第１及び第２接着部材１６２Ａ、１６４Ａのそれぞれはホルダー上部領域１２０Ｕ及びホルダー下部領域１２０Ｄのそれぞれと液体レンズ部１４０とを結合させることができる。
【００８３】
第１カバー１７０はホルダー１２０、液体レンズ部１４０及びミドルベース１７２を取り囲むように配置され、これら１２０、１４０、１７２を外部の衝撃から保護することができる。特に、第１カバー１７０が配置されることにより、光学系を形成する複数のレンズを外部衝撃から保護することができる。
【００８４】
また、ホルダー１２０に配置される第１レンズ部１１０、１１０Ａが外部光に露出されるように、第１カバー１７０はその第１カバー１７０の上面に形成された上側開口１７０Ｈを含むことができる。
【００８５】
また、上側開口１７０Ｈには光透過性物質から構成されたウィンドウが配置されることができ、これにより、カメラモジュール１００Ａの内部でほこりや水分などの異物が浸透することを防止することができる。
【００８６】
また、第１カバー１７０はホルダー１２０の上面と第１〜第４側壁を覆うように配置されることができる。
【００８７】
一方、図２及び図３を参照すると、ミドルベース１７２はホルダー１２０の第２ホールＨ２を取り囲むように配置されることができる。このために、ミドルベース１７２は、第２ホールＨ２を収容するための収容ホール１７２Ｈを含むことができる。ミドルベース１７２の内径（すなわち、収容ホール１７２Ｈの直径）は第２ホールＨ２の外径以上であり得る。
【００８８】
ここで、ミドルベース１７２の収容ホール１７２Ｈと第２ホールＨ２の形状はそれぞれ円形のものとして図示されているが、実施例はこれに限定されず、多様な形状に変更されることもできる。
【００８９】
第１カバー１７０の上側開口１７０Ｈと同様に、収容ホール１７２Ｈはミドルベース１７２の中央付近で、カメラモジュール１００に配置されたイメージセンサー１８２の位置に対応する位置に形成されることができる。
【００９０】
ミドルベース１７２は、メイン基板１５０上で回路素子１５１から離隔してメイン基板１５０に装着されることができる。すなわち、ホルダー１２０は回路素子１５１から離隔してメイン基板１５０上に配置されることができる。
【００９１】
メイン基板１５０はミドルベース１７２の下部に配置され、イメージセンサー１８２が装着、着座、接触、固定、仮固定、支持、結合、又は収容されることができる溝、回路素子１５１、連結部（又は、ＦＰＣＢ）１５２及びコネクタ１５３を含むことができる。
【００９２】
メイン基板１５０の回路素子１５１は液体レンズ部１４０及びイメージセンサー１８２を制御する制御モジュールを構成することができる。ここで、回路素子１５１は受動素子及び能動素子の少なくとも一つを含むことができ、多様な広さ及び高さを有することができる。回路素子１５１は複数であってよく、メイン基板１５０の高さより高い高さを有し、外部に突出することができる。複数の回路素子１５１は、ホルダー１２０と光軸ＬＸに平行な方向にオーバーラップしないように配置されることができる。例えば、複数の回路素子１５１はパワーインダクタ（ｐｏｗｅｒ  ｉｎｄｕｃｔｏｒ）及びジャイロセンサーなどを含むことができるが、実施例は回路素子１５１の特定の種類に限られない。
【００９３】
メイン基板１５０は、ホルダー１２０が配置されるホルダー領域と複数の回路素子１５１が配置される素子領域とを含むことができる。
【００９４】
メイン基板１５０はＦＰＣＢ１５２を含むＲＦＰＣＢ（Ｒｉｇｉｄ  Ｆｌｅｘｉｂｌｅ  Ｐｒｉｎｔｅｄ  Ｃｉｒｃｕｉｔ  Ｂｏａｒｄ）から具現化されることができる。ＦＰＣＢ１５２はカメラモジュール１００が装着される空間によってベンディングされることができる。
【００９５】
イメージセンサー１８２は、レンズアセンブリー１１０、１２０、１３０、１４０の第１レンズ部１１０、液体レンズ部１４０及び第２レンズ部１３０を通過した光をイメージデータに変換する機能をすることができる。より具体的に、イメージセンサー１８２は、複数のピクセルを含むピクセルアレイを介して光をアナログ信号に変換し、アナログ信号に相応するデジタル信号を合成してイメージデータを生成することができる。
【００９６】
一方、コネクタ１５３は、メイン基板１５０をカメラモジュール１００Ａの外部の電源又はその他の装置（例えば、ａｐｐｌｉｃａｔｉｏｎ  ｐｒｏｃｅｓｓｏｒ）と電気的に連結することができる。
【００９７】
以下、カメラモジュール１００の製造方法の一実施例を添付図面に基づいて次のように説明する。
【００９８】
まず、メイン基板１５０にイメージセンサー１８２を装着し、ミドルベース１７２と第２カバー１７４が結合又は配置されたホルダー１２０をメイン基板１５０に装着、着座、接触、仮固定、支持、結合、又は配置することができる。
【００９９】
このとき、ホルダー１２０に装着された第１レンズ部１１０、１１０Ａ、第２レンズ部１３０、１３０Ａ及びイメージセンサー１８２の間のアクティブアライン（第１整列）を遂行することができる。第１整列は、ミドルベース１７２の両側を支持しながらミドルベース１７２とホルダー１２０の位置を調節して遂行することができる。ミドルベース１７２の両側を圧着して固定するジグを移動させながら第１整列を遂行することができる。第１整列が完了した状態で、ミドルベース１７２をメイン基板１５０に固定させることができる。
【０１００】
その後、ホルダー１２０の第１又は第２開口ＯＰ１、ＯＰ２の少なくとも一つを通して液体レンズ部１４０をホルダー１２０に挿入し、液体レンズ部１４０とイメージセンサー１８２との間のアクティブアラインを第２整列として遂行することができる。第２整列は、液体レンズ部１４０をｘ軸方向に支持して液体レンズ部１４０の位置を調節して遂行することができる。第２整列は、液体レンズ部１４０をｘ軸方向に圧着して固定するジグを移動させながら行うことができる。
【０１０１】
その後、第１連結基板１４１と第２連結基板１４４のそれぞれをベンディングしてメイン基板１５０と電気的に連結する。ベンディング工程の後、第１連結基板１４１及び第２連結基板１４４のそれぞれとメイン基板１５０との間の電気的な連結のために、ソルダリング（ｓｏｌｄｅｒｉｎｇ）工程を遂行する。
【０１０２】
その後、第１カバー１７０を第１レンズ部１１０、ホルダー１２０、第２レンズ部１３０、液体レンズ部１４０及びミドルベース１７２に被せることで、カメラモジュール１００Ａを完成する。
【０１０３】
一方、図２に示した複数の回路素子１５１の一部は電磁波妨害（ＥＭＩ：Ｅｌｅｃｔｒｏ  Ｍａｇｎｅｔｉｃ  Ｉｎｔｅｒｆｅｒｅｎｃｅ）やノイズを引き起こすことができる。特に、複数の回路素子１５１の中でパワーインダクタ１５１−１は他の素子より多くのＥＭＩを引き起こすことができる。このように、ＥＭＩやノイズを遮断するために、回路カバー１５４はメイン基板１５０の素子領域に配置された回路素子１５１を覆うように配置されることができる。
【０１０４】
また、回路カバー１５４が回路素子１５１を覆うように配置される場合、メイン基板１５０の上部に配置された回路素子１５１を外部衝撃から保護することができる。このために、回路カバー１５４は、メイン基板１５０に配置された回路素子１５１の形状及び位置を考慮して回路素子１５１を収容して覆うための収容空間を含むことができる。
【０１０５】
一方、フィルター１７６は、第１レンズ部１１０、１１０Ａ、液体レンズ部１４０及び第２レンズ部１３０、１３０Ａを通過した光のうち特定の波長範囲に相当する光をフィルタリングすることができる。フィルター１７６は赤外線（ＩＲ）遮断フィルター又は紫外線（ＵＶ）遮断フィルターであり得るが、実施例はこれに限定されない。フィルター１７６はイメージセンサー１８２上に配置されることができる。フィルター１７６はセンサーベース１７８の内部に配置されることができる。例えば、フィルター１７６はセンサーベース１７８の内部溝又は段差に配置されるか装着されることができる。
【０１０６】
センサーベース１７８はミドルベース１７２の下部に配置され、メイン基板１５０に付着されることができる。センサーベース１７８はイメージセンサー１８２を取り囲み、イメージセンサー１８２を外部の異物又は衝撃から保護することができる。
【０１０７】
メイン基板１５０はセンサーベース１７８の下に配置され、メイン基板１５０上に、回路素子１５１から離隔してセンサーベース１７８が装着され、センサーベース１７８上にミドルベース１７２、第２レンズ部１３０、１３０Ａ、液体レンズ部１４０及び第１レンズ部１１０、１１０Ａが配置されたホルダー１２０が配置されることができる。
【０１０８】
また、図２に示したカメラモジュール１００はセンサーベース１７８及びフィルター１７６を含まなくてもよい。
【０１０９】
以下、前述した実施例によるカメラモジュール１００に含まれた液体レンズ部１４０の一例１４０Ａを添付図面の図５に基づいて次のように説明する。図５は前述した実施例による液体レンズを含む液体レンズ部１４０の一実施例１４０Ａの断面図を示す。
【０１１０】
図５に示した液体レンズ部１４０Ａ〜１４０Ｉのそれぞれは、第１連結基板１４１、液体レンズ１４２、スペーサー１４３及び第２連結基板１４４を含むことができる。スペーサー１４３についての説明は前述したものと同様であるので、重複説明を省略し、説明の便宜上、図５でスペーサー１４３の図示は省略する。
【０１１１】
液体レンズ１４２は、相異なる種類の複数の液体ＬＱ１、ＬＱ２、第１〜第３プレート１４７、１４５、１４６、第１及び第２電極Ｅ１、Ｅ２及び絶縁層１４８を含むことができる。液体レンズ１４２は、光学層１９０：１９０Ａ〜１９０Ｉをさらに含むことができる。
【０１１２】
複数の液体ＬＱ１、ＬＱ２はキャビティＣＡに収容され、伝導性を有する第１液体ＬＱ１と非伝導性を有する第２液体（又は、絶縁液体）ＬＱ２とを含むことができる。第１液体ＬＱ１と第２液体ＬＱ２は互いに混じらず、第１及び第２液体ＬＱ１、ＬＱ２が接する部分に界面ＢＯが形成されることができる。例えば、第１液体ＬＱ１上に第２液体ＬＱ２が配置されることができるが、実施例はこれに限られない。
【０１１３】
また、液体レンズ１４２の断面形状において、第１及び第２液体ＬＱ２、ＬＱ１の縁部は中心部より厚さが薄いことができる。
【０１１４】
第１液体ＬＱ１はオイル（ｏｉｌ）であり得る。例えば、フェニル（ｐｈｅｎｙｌ）系のシリコンオイルであり得る。第２液体ＬＱ２は、例えばエチレングリコール（ｅｔｈｙｌｅｎｅ  ｇｌｙｃｏｌ）と臭化ナトリウム（ＮａＢｒ）が混合されて形成されることができる。
【０１１５】
第１液体ＬＱ１及び第２液体ＬＱ２のそれぞれは殺菌剤又は酸化防止剤の少なくとも１種を含むことができる。殺菌剤はフェノール系酸化防止剤又はリン（Ｐ）系酸化防止剤であり得る。そして、殺菌剤は、アルコール系、アルデヒド系及びフェノール系のいずれか１種の殺菌剤であり得る。このように。第１液体ＬＱ１及び第２液体ＬＱ２のそれぞれが酸化防止剤と殺菌剤を含む場合、第１及び第２液体ＬＱ１、ＬＱ２が酸化するか微生物の繁殖によって第１及び第２液体ＬＱ１、ＬＱ２の物性が変化することを防止することができる。
【０１１６】
第１プレート１４７の内側面はキャビティＣＡの側壁ｉを成すことができる。第１プレート１４７は、既定の傾斜面を有する上下の開口部を含むことができる。すなわち、キャビティＣＡは、第１プレート１４７の傾斜面、第２プレート１４５と接触する第３開口、及び第３プレート１４６と接触する第４開口で取り囲まれた領域に定義することができる。
【０１１７】
第３及び第４開口の中でより広い開口の直径は液体レンズ１４２で要求する画角（ＦＯＶ）又は液体レンズ１４２がカメラモジュール１００Ａで遂行しなければならない役割によって変わることができる。実施例によれば、第３開口の大きさ（又は面積、又は幅）Ｏ１より第４開口の大きさ（又は面積、又は幅）Ｏ２が大きいことができる。ここで、第３及び第４開口のそれぞれの大きさは水平方向（例えば、ｘ軸とｙ軸方向）への断面積であり得る。例えば、第３及び第４開口のそれぞれの大きさとは、開口の断面が円形であれば半径を意味し、開口の断面が正方形であれば対角線の長さを意味することができる。
【０１１８】
第３及び第４開口のそれぞれは円形の断面を有するホール（ｈｏｌｅ）の形状を有することができ、傾斜面は５５°〜６５°又は５０°〜７０°の範囲の傾斜度を有することができる。２種の液体が形成した界面ＢＯは駆動電圧によってキャビティＣＡの傾斜面に沿って動くことができる。
【０１１９】
第１プレート１４７のキャビティＣＡに第１液体ＬＱ１及び第２液体ＬＱ２が充填、収容又は配置される。また、キャビティＣＡは第１レンズ部１１０、１１０Ａを通過した光が透過する部位である。よって、第１プレート１４７は透明な材料からなることもでき、光の透過が容易でないように不純物を含むこともできる。
【０１２０】
第１プレート１４７の一面と他面に電極がそれぞれ配置されることができる。複数の第１電極Ｅ１は第２電極Ｅ２から離隔して配置され、第１プレート１４７の一面（例えば、上面、側面及び下面）に配置されることができる。第２電極Ｅ２は第１プレート１４７の他面（例えば、下面）の少なくとも一部領域に配置され、第１液体ＬＱ１と直接接触することができる。
【０１２１】
また、第１電極Ｅ１はｎ個の電極（以下、‘個別電極’という）を含むことができ、第２電極Ｅ２は一つの電極（以下、‘共通電極’という）を含むことができる。ここで、ｎは２以上の正の整数であり得る。
【０１２２】
第１及び第２電極Ｅ１、Ｅ２のそれぞれは少なくとも一つの電極セクターを含むことができる。例えば、第１電極Ｅ１は二つ以上の電極セクターを含み、第２電極Ｅ２は少なくとも一つの電極セクターを含むことができる。例えば、複数の第１電極Ｅ１は、光軸を中心に時計方向（又は、反時計方向）に順次配置される複数の電極セクターを含むことができる。ここで、電極セクターとは電極の一部を意味する。
【０１２３】
第１プレート１４７の他面に配置された第２電極Ｅ２の一部（すなわち、第２電極Ｅ２の電極セクター）が伝導性を有する第１液体ＬＱ１に露出されることができる。
【０１２４】
第１及び第２電極Ｅ１、Ｅ２のそれぞれは導電性材料からなることができ、例えば金属からなることができ、詳細にはクロム（Ｃｒ）を含むことができる。クロミウム（ｃｈｒｏｍｉｕｍ）又はクロム（Ｃｈｒｏｍ）は銀色の光沢がある堅い遷移金属であり、壊れやすく、めったに変色せず、融点が高い。そして、クロミウムを含む合金は腐食に強くて堅いから、他の金属と合金した形態で使われることができ、特に、クロム（Ｃｒ）は腐食及び変色が少ないから、キャビティＣＡを満たす伝導性の第１液体ＬＱ１にも強い特徴がある。
【０１２５】
また、第２プレート１４５は第１電極Ｅ１の一面に配置されることができる。すなわち、第２プレート１４５は第１プレート１４７上に配置されることができる。具体的に、第２プレート１４５は第１電極Ｅ１の上面及びキャビティＣＡ上に配置されることができる。
【０１２６】
第３プレート１４６は第２電極Ｅ２の一面に配置されることができる。すなわち、第３プレート１４６は第１プレート１４７の下に配置されることができる。具体的に、第３プレート１４６は第２電極Ｅ２の下面及びキャビティＣＡの下に配置されることができる。
【０１２７】
第２プレート１４５と第３プレート１４６は第１プレート１４７を挟んで互いに対向するように配置されることができる。また、第２プレート１４５又は第３プレート１４６の少なくとも一つは省略することもできる。
【０１２８】
第２又は第３プレート１４５、１４６の少なくとも一つは方形平面の形状を有することができる。第３プレート１４６は第１プレート１４７とエッジ（ｅｄｇｅ）周辺の接合領域で触れ合って接着されることができる。
【０１２９】
第２及び第３プレート１４５、１４６のそれぞれは光が通過する領域であり、透光性材料からなることができる。例えば、第２及び第３プレート１４５、１４６のそれぞれはガラス（ｇｌａｓｓ）からなることができ、工程の便宜上、同じ材料から形成されることができる。また、第２及び第３プレート１４５、１４６のそれぞれの縁部は方形状であり得るが、必ずしもこれに限定されない。
【０１３０】
第２プレート１４５は、第１レンズ部１１０、１１０Ａから入射する光が第１プレート１４５のキャビティＣＡの内部に進行するように許容する構成を有することができる。
【０１３１】
第３プレート１４６は、第１プレート１４５のキャビティＣＡを通過した光が第２レンズ部１３０、１３０ａに進行するように許容する構成を有することができる。第３プレート１４６は第１液体ＬＱ１と直接接触することができる。
【０１３２】
実施例によれば、第３プレート１４６は、第１プレート１４７の第３及び第４開口の中で広い開口の直径より大きな直径を有することができる。また、第３プレート１４６は第１プレート１４７から離隔した周辺領域を含むことができる。
【０１３３】
また、液体レンズ１４２の実際有効レンズ領域は、第１プレート１４７の第３及び第４開口の中で広い開口の直径（例えば、Ｏ２）より小さくてもよい。例えば、液体レンズ１４２の中心部を基準に狭い範囲の半径が実際に光を伝達する経路として使われる場合、第３プレート１４６の中心領域の直径（例えば、Ｏ３）は第１プレート１４７の第３及び第４開口の中で広い開口の直径（例えば、Ｏ２）より小さくてもよい。
【０１３４】
絶縁層１４８は、キャビティＣＡの上部領域で第２プレート１４５の下面の一部を覆うように配置されることができる。すなわち、絶縁層１４８は、第２液体ＬＱ２と第２プレート１４５との間に配置されることができる。
【０１３５】
また、絶縁層１４８は、キャビティＣＡの側壁を成す第１電極Ｅ１の一部を覆うように配置されることができる。また、絶縁層１４８は、第１プレート１４７の下面で、第１電極Ｅ１の一部と第１プレート１４７及び第２電極Ｅ２とを覆うように配置されることができる。これにより、第１電極Ｅ１と第１液体ＬＱ１との間の接触及び第１電極Ｅ１と第２液体ＬＱ２との間の接触が絶縁層１４８によって遮断されることができる。
【０１３６】
絶縁層１４８は、例えばパリレンＣ（ｐａｒｙｌｅｎｅ  Ｃ）コーティング剤から具現化されることができ、白色染料をさらに含むこともできる。白色染料は、キャビティＣＡの側壁ｉを成す絶縁層１４８で光が反射される頻度を増加させることができる。
【０１３７】
絶縁層１４８は、第１及び第２電極Ｅ１、Ｅ２の少なくとも一つの電極（例えば、第１電極Ｅ１）を覆い、他の一つの電極（例えば、第２電極Ｅ２）の一部を露出させ、伝導性の第１液体ＬＱ１に電気エネルギーが印加されるようにすることができる。
【０１３８】
実施例によるカメラモジュール１００の場合、紫外線遮断や赤外線遮断のためのフィルター１７６がミドルベース１７２とイメージセンサー１８２との間に配置され、第１レンズ部１１０、液体レンズ１４２及び第２レンズ部１３０を通過した光のうち特定の波長範囲に相当する光をフィルタリングする。また、このような赤外線遮断フィルター又は紫外線遮断フィルターはセンサーベース１７８の内部溝に装着される。
【０１３９】
少なくとも一つの基板、例えば第１連結基板１４１と第２連結基板１４４は液体レンズ１４２に電圧を供給する役割をする。このために、複数の第１電極Ｅ１は第１連結基板１４１と電気的に連結され、第２電極Ｅ２は第２連結基板１４４と電気的に連結されることができる。
【０１４０】
第１連結基板１４１と第２連結基板１４４を介して第１及び第２電極Ｅ１、Ｅ２に駆動電圧が印加されるとき、第１液体ＬＱ１と第２液体ＬＱ２との間の界面ＢＯが変形し、液体レンズ１４２の曲率のような形状又は焦点距離の少なくとも一つが変更（又は、調整）されることができる。例えば、駆動電圧に応じて液体レンズ１４２内に形成される界面ＢＯの屈曲又は傾斜度の少なくとも一つが変わって液体レンズ１４２の焦点距離が調整されることができる。このような界面ＢＯが変形するか曲率半径が制御されれば、液体レンズ１４２、液体レンズ１４２を含むレンズアセンブリー１１０、１２０、１３０、１４０、カメラモジュール１００及び光学機器はオートフォーカシング（ＡＦ：Ａｕｔｏ−Ｆｏｃｕｓｉｎｇ）機能、手ぶれ補正又は光学式手ぶれ補正（ＯＩＳ：Ｏｐｔｉｃａｌ  Ｉｍａｇｅ  Ｓｔａｂｉｌｉｚｅｒ）機能などを果たすことができる。
【０１４１】
第１連結基板１４１は互いに異なる４個の駆動電圧（以下、‘個別電圧’という）を液体レンズ１４２に伝達することができ、第２連結基板１４４は一つの駆動電圧（以下、‘共通電圧’という）を液体レンズ１４２に伝達することができる。共通電圧はＤＣ電圧又はＡＣ電圧を含むことができ、共通電圧がパルス形態で印加される場合、パルスの幅又はデューティーサイクル（ｄｕｔｙ  ｃｙｃｌｅ）は一定であり得る。第１連結基板１４１を介して供給される個別電圧は液体レンズ１４２の各角部に露出される複数の第１電極Ｅ１（又は、複数の電極セクター）に印加されることができる。
【０１４２】
たとえば図示されてはいないが、第１連結基板１４１と複数の第１電極Ｅ１との間に伝導性エポキシが配置されることにより、第１連結基板１４１と複数の第１電極Ｅ１が接触、結合及び通電することができる。また、第２連結基板１４４と第２電極Ｅ２との間に伝導性エポキシが配置されることにより、第２連結基板１４４と第２電極Ｅ２が接触、結合及び通電することができる。
【０１４３】
また、第１連結基板１４１と複数の第１電極Ｅ１は互いに別個の素子から具現化されることもでき、一体型に具現化されることもできる。また、第２連結基板１４４と第２電極Ｅ２は互いに別個の素子から具現化されることもでき、一体型に具現化されることもできる。
【０１４４】
図６はカメラモジュール２００の概略ブロック図である。
【０１４５】
図６を参照すると、カメラモジュール２００は、制御回路２１０及びレンズアセンブリー２５０を含むことができる。制御回路２１０は図１に示した制御回路２４に相当し、レンズアセンブリー２５０は図１に示したレンズアセンブリー２２又は図２に示したレンズアセンブリー１１０、１２０、１３０、１４０に相当することができる。
【０１４６】
制御回路２１０は制御部２２０を含むことができ、液体レンズ２８０を含む液体レンズ部１４０の動作を制御することができる。
【０１４７】
制御部２２０はＡＦ機能及びＯＩＳ機能をするための構成を有し、使用者の要求又は感知結果（例えば、ジャイロセンサー２２Ａ、２２Ｂの動き信号など）を用いてレンズアセンブリー２５０に含まれた液体レンズ２８０を制御することができる。ここで、液体レンズ２８０は前述した液体レンズ１４２に相当することができる。
【０１４８】
制御部２２０は、ジャイロセンサー２２５、コントローラー２３０及び電圧ドライバー２３５を含むことができる。ジャイロセンサー２２５は制御部２２０に含まれていない独立した構成であってもよく、制御部２２０に含まれることもできる。
【０１４９】
ジャイロセンサー２２５は、光学機器の上下及び左右への手ぶれを補償するために、ヨー（Ｙａｗ）軸とピッチ（Ｐｉｔｃｈ）軸の２方向の動きの角速度を感知することができる。ジャイロセンサー２２５は、感知された角速度に相応する動き信号を生成してコントローラー２３０に提供することができる。
【０１５０】
コントローラー２３０は、ＯＩＳ機能を具現化するために、低域通過フィルター（ＬＰＦ：Ｌｏｗ  Ｐａｓｓ  Ｆｉｌｔｅｒ）を用いて動き信号から高周波数のノイズ成分を除去して所望帯域のみ抽出し、ノイズの除去された動き信号を使って手ぶれ量を計算し、計算された手ぶれ量を補償するために、液体レンズモジュール２６０の液体レンズ２８０が有しなければならない形状に対応する駆動電圧を計算することができる。
【０１５１】
コントローラー２３０は、光学機器又はカメラモジュール２００の内部（例えば、イメージセンサー１８２）又は外部（例えば、距離センサー又はアプリケーションプロセッサ）からＡＦ機能のための情報（すなわち、客体との距離情報）を受信することができ、距離情報から客体に焦点を合わせるための焦点距離によって液体レンズ２８０が有しなければならない形状に対応する駆動電圧を計算することができる。
【０１５２】
コントローラー２３０は、駆動電圧と駆動電圧を電圧ドライバー２３５が生成するようにするための駆動電圧コードをマッピングした駆動電圧テーブルを保存することができ、計算された駆動電圧に対応する駆動電圧コードを駆動電圧テーブルを参照して獲得し、獲得された駆動電圧コードを電圧ドライバー２３５に出力することができる。
【０１５３】
電圧ドライバー２３５は、コントローラー２３０から提供されたデジタル形態の駆動電圧コードに基づき、駆動電圧コードに相応するアナログ形態の駆動電圧を生成してレンズアセンブリー２５０に提供することができる。
【０１５４】
電圧ドライバー２３５は、供給電圧（例えば、別途の電源回路から供給された電圧）を受けて電圧レベルを増加させる電圧ブースター、電圧ブースターの出力を安定させるための電圧安定器、及び液体レンズ２８０の各端子に電圧ブースターの出力を選択的に供給するためのスイッチング部を含むことができる。
【０１５５】
ここで、スイッチング部はＨブリッジ（Ｈ  Ｂｒｉｄｇｅ）と呼ばれる回路の構成を含むことができる。電圧ブースターから出力された高電圧がスイッチング部の電源電圧に印加される。スイッチング部は、印加される電源電圧とグラウンド電圧（ｇｒｏｕｎｄ  ｖｏｌｔａｇｅ）を選択的に液体レンズ２８０の両端に供給することができる。ここで、液体レンズ２８０は、駆動のために、４個の電極セクターを含む４個の第１電極Ｅ１、第１連結基板１４１、１個の第２電極Ｅ２及び第２連結基板１４４を含むことは前述したものと同様である。液体レンズ２８０の両端は複数の第１電極Ｅ１のいずれか一つと第２電極Ｅ２を意味することができる。また、液体レンズ２８０の両端は４個の第１電極Ｅ１の４個の電極セクターのいずれか一つと第２電極Ｅ２の１個の電極セクターを意味することができる。
【０１５６】
液体レンズ２８０の各電極セクターに既定の幅を有するパルス形態の電圧が印加されることができ、液体レンズ２８０に印加される駆動電圧は第１電極Ｅ１と第２電極Ｅ２のそれぞれに印加される電圧の差である。
【０１５７】
また、電圧ドライバー２３５がコントローラー２３０から提供されたデジタル形態の駆動電圧コードによって液体レンズ２８０に印加される駆動電圧を制御するために、電圧ブースターは増加する電圧レベルを制御し、スイッチング部は共通電極と個別電極に印加されるパルス電圧の位相を制御することにより、駆動電圧コードに相応するアナログ形態の駆動電圧が生成されるようにする。
【０１５８】
すなわち、制御部２２０は、第１電極Ｅ１と第２電極Ｅ２のそれぞれに印加される電圧を制御することができる。
【０１５９】
制御回路２１０は、制御回路２１０の通信又はインターフェースの機能を果たすコネクタ（図示せず）をさらに含むことができる。例えば、Ｉ２Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクタは通信プロトコル変換を遂行することができる。また、コネクタは、外部（例えば、バッテリー）から電源を受け、制御部２２０及びレンズアセンブリー２５０の動作に必要な電源を供給することができる。この場合、コネクタは図２に示したコネクタ１５３に相当することができる。
【０１６０】
レンズアセンブリー２５０は液体レンズモジュール２６０を含むことができ、液体レンズモジュール２６０は駆動電圧提供部２７０及び液体レンズ２８０を含むことができる。
【０１６１】
駆動電圧提供部２７０は、電圧ドライバー２３５から駆動電圧を受け、液体レンズ２８０に駆動電圧を提供することができる。ここで、駆動電圧はｎ個の個別電極のいずれか一つの個別電極と一つの共通電極との間に印加されるアナログ電圧であり得る。
【０１６２】
駆動電圧提供部２７０は、制御回路２１０とレンズアセンブリー２５０との間の端子連結による損失を補償するための電圧調整回路（図示せず）又はノイズ除去回路（図示せず）を含むこともでき、又は電圧ドライバー２３５から提供される電圧を液体レンズ２８０にバイパス（ｂｙｐａｓｓ）することもできる。
【０１６３】
駆動電圧提供部２７０は連結部１５２の少なくとも一部を構成するＦＰＣＢ（又は、基板）に配置されることができるが、実施例はこれに限定されない。連結部１５２は駆動電圧提供部２７０を含むことができる。
【０１６４】
液体レンズ２８０は、駆動電圧によって第１液体ＬＱ１と第２液体ＬＱ２との間の界面ＢＯが変形してＡＦ機能又はＯＩＳ機能の少なくとも一つを果たすことができる。
【０１６５】
図７（ａ）及び図７（ｂ）は駆動電圧に応じて界面が調整される液体レンズ１４２を説明するための図である。具体的に、図７（ａ）は実施例による液体レンズ１４２の斜視図を示し、図７（ｂ）は液体レンズ１４２の等価回路を示す。ここで、液体レンズ１４２は図２の液体レンズ１４２と同一であるので、同じ参照符号を使う。
【０１６６】
まず、図７（ａ）を参照すると、駆動電圧に応じて界面ＢＯの形状が調整される液体レンズ１４２は同じ角距離を有し、４個の相異なる方向に配置され、複数の第１電極Ｅ１の複数の電極セクターＥ１１、Ｅ１２、Ｅ１３、Ｅ１４及び第２電極Ｅ２の電極セクターＣ０を介して駆動電圧を受けることができる。複数の第１電極Ｅ１の複数の電極セクターＥ１１、Ｅ１２、Ｅ１３、Ｅ１４のいずれか一つと第２電極Ｅ２の電極セクターＣ０を介して駆動電圧が印加されれば、キャビティＣＡに配置された第１液体ＬＱ１と第２液体ＬＱ２との間の界面ＢＯの形状が変形することができる。第１液体ＬＱ１と第２液体ＬＱ２との間の界面ＢＯの変形程度及び形態は、ＡＦ機能又はＯＩＳ機能の少なくとも一つを具現化するために、コントローラー２３０によって制御することができる。
【０１６７】
また、図７（ｂ）を参照すると、液体レンズ１４２はその液体レンズ１４２の一側が第１電極Ｅ１の相異なる電極セクターＥ１１、Ｅ１２、Ｅ１３、Ｅ１４から電圧を受け、液体レンズ１４２の他側が第２電極Ｅ２の電極セクターＣ０と連結されて電圧を受ける複数のキャパシター１４３として説明されることができる。
【０１６８】
図７（ａ）で、複数の第１電極Ｅ１に含まれた相異なる電極セクターＥ１１、Ｅ１２、Ｅ１３、Ｅ１４の個数が４個であるものを例示しているが、実施例はこれに限定されない。
【０１６９】
ここで、二つの電極Ｅ１、Ｅ２は、伝導性液体ＬＱ１に露出される第２電極Ｅ２と、伝導性液体ＬＱ１に露出されない第１電極Ｅ１とに区分される。図３の（ａ）及び図４を参照すると、伝導性液体ＬＱ１に露出される第２電極Ｅ２は共通端子Ｃ０に連結されることができ、伝導性液体ＬＱ１に露出されない第１電極Ｅ１は相異なる個別端子Ｌ１、Ｌ２、Ｌ３、Ｌ４と連結されることができる。互いに異なる個別端子Ｌ１、Ｌ２、Ｌ３、Ｌ４と連結される第１電極Ｅ１は、電気的及び物理的に区分された複数のセグメントに区分されることができる。
【０１７０】
一方、実施例によって、第２電極Ｅ２の面積と第１電極Ｅ１の面積は実質的に同一であり得る。ここで、第１電極Ｅ１の面積は複数のセグメントを合わせた面積であり得る。また、第１電極Ｅ１に含まれた複数のセグメントはいずれも実質的に同一面積を有することができる。
【０１７１】
図７（ａ）及び図５で説明した液体レンズ１４０Ａは、図７（ｂ）で説明したように、第１電極Ｅ１に含まれた複数のセグメントを基準として電気的特性を複数に区分して並列で連結した単位キャパシターとして説明することができる。また、液体レンズ１４０Ａの第２電極Ｅ２と第１電極Ｅ１を基準とすれば、電気的特性を単一のキャパシターとして説明することができる。第２電極Ｅ２の面積と第１電極Ｅ１の面積が実質的に同一である場合、液体レンズ１４０Ａを一つのキャパシターと見なすと、キャパシターの二つの電極の面積が実質的に同一であることを意味することができる。また、第１電極Ｅ１に含まれた複数のセグメントがいずれも実質的に同じ面積を有すれば、並列で連結された単位キャパシターのキャパシタンスが同一の環境又は条件で実質的に同一であることを意味することができる。この場合、キャパシターと説明することができる液体レンズ１４０Ａの電気的特徴をより明確に特定することができるので、液体レンズ１４０Ａの制御をより精巧で正確に遂行することができ、制御上の誤差を減らすことができる。これは、液体レンズ１４０Ａの動作安全性及び性能を向上させる要因になる。
【０１７２】
図８はＥＭＩ改善のためのカメラモジュールの概略ブロック図である。
【０１７３】
図示のように、カメラモジュールは、液体レンズ３２０内の界面３１０の動きを誘導するための電圧ＶＬ１、ＶＬ２、ＶＬ３、ＶＬ４、ＶＣ０を生成するための電圧制御回路３４０、電圧制御回路３４０と液体レンズ３２０との間に配置されるスイッチング部３５０、及びスイッチング部３５０と電圧制御回路３４０を制御するための制御部３６０を含むことができる。ここで、液体レンズ３２０は、図４、図５又は図７で説明する液体レンズを簡略に図式化したものであり、４個の個別端子Ｌ１、Ｌ２、Ｌ３、Ｌ４と１個の共通端子Ｃ０を含むことができる。実施例によって、液体レンズ３２０内の個別端子の数は４の倍数であり得る。
【０１７４】
スイッチング部３５０は、第１電圧とグラウンド電圧の中で一つを選択して複数の個別端子Ｌ１、Ｌ２、Ｌ３、Ｌ４に伝達する複数の第１スイッチＳＷ１〜ＳＷ４、及び第１電圧とグラウンド電圧の中で一つを選択して共通端子Ｃ０に伝達する第２スイッチＳＷ０を含む。
【０１７５】
制御部３６０は、電圧制御回路３４０、複数の第１スイッチＳＷ１〜ＳＷ４、及び第２スイッチＳＷ０を制御することができる。例えば、制御部３６０は、電圧制御回路３４０を活性化させる第１制御信号Ｘ１、複数の第１スイッチＳＷ１〜ＳＷ４を活性化させる複数の第２制御信号Ｘ２、及び第２スイッチＳＷ０を活性化させる第３制御信号Ｘ３を出力することができる。
【０１７６】
実施例によって、第１制御信号Ｘ１、複数の第２制御信号Ｘ２及び第３制御信号Ｘ３はパルス幅変調（Ｐｕｌｓｅ  Ｗｉｄｔｈ  Ｍｏｄｕｌａｔｉｏｎ、ＰＷＭ）信号であり得る。第１制御信号Ｘ１の活性化区間より複数の第２制御信号Ｘ２及び第３制御信号Ｘ３の活性化区間が２倍長いことができる。
【０１７７】
図９（ａ）及び図９（ｂ）は図８で説明した電圧制御回路とスイッチング部を説明する。一例として、図９（ａ）は７０Ｖの駆動電圧を生成する電圧制御回路３４０Ａと７０Ｖの駆動電圧を伝達するスイッチング部３５０とを説明する。図９（ｂ）は４０Ｖの駆動電圧を出力する電圧制御回路３４０Ｂと４０Ｖの駆動電圧を伝達するスイッチング部３５０とを説明する。
【０１７８】
図９（ａ）及び図９（ｂ）を参照すると、液体レンズ３２０と液体レンズ３２０に駆動電圧を伝達するためのスイッチング部３５０の構造は実質的に同一である。ただ、図９（ａ）に示した電圧制御回路３４０Ａと図９（ｂ）に示した電圧制御回路３４０Ｂは構造的な違いがある。例えば、二つの電圧制御回路３４０Ａ、３４０Ｂは、任意の直流電源を負荷が要求する形態の直流電源に変換させるＤＣ−ＤＣコンバーターのような電圧ブースター（ｂｏｏｓｔｅｒ）を含むことができる。ただ、より低いレベルの駆動電圧を出力する図９（ｂ）に示した電圧制御回路３４０Ｂは、ＤＣ−ＤＣコンバーターのような電圧ブースター（ｂｏｏｓｔｅｒ）の出力端に連結される抵抗Ｒ１を含むＤＣバイアス端をさらに含むことができる。
【０１７９】
図１０は図９（ａ）に示した電圧制御回路を説明する。
【０１８０】
図示のように、液体レンズ３２０は、二つの電極を介して電気エネルギーが印加されれば、キャパシターのような電気的特徴を有することができる（図７（ｂ）参照）。説明の便宜のために、一つの個別端子Ｌ１と共通端子Ｃ０に界面の動きを誘導するための駆動電圧を供給する場合を例として説明する。
【０１８１】
図１０の（ａ）を参照すると、液体レンズ３２０の個別端子Ｌ１と共通端子Ｃ０には、７０Ｖの駆動電圧を供給することができる電圧制御回路３４０Ａが連結される。電圧制御回路３４０Ａは、７０Ｖの駆動電圧とグラウンド電圧の中で一つを個別端子Ｌ１又は共通端子Ｃ０に供給することができる。
【０１８２】
図１０の（ｂ）を参照すると、電圧制御回路３４０Ａは、個別端子Ｌ１又は共通端子Ｃ０に７０Ｖの駆動電圧を既定の第１区間Ｐ１の間に印加することができる。ここで、既定の区間Ｐ１は図９（ａ）で説明したスイッチング部３５０によって決定することができる。液体レンズ３２０に７０Ｖの駆動電圧を印加するための電圧制御回路３４０Ａは任意の直流電源を７０Ｖの駆動電圧に変換しなければならない。例えば、液体レンズ３２０が含まれたカメラモジュールが携帯用機器に搭載される場合、携帯用機器で使用する電源電圧は大部分２．５〜５Ｖの範囲を有する。電圧制御回路３４０Ａが２．５〜５Ｖの電源電圧を用いて７０Ｖの駆動電圧を生成するためには、体積が大きくなるしかなく、電圧制御回路３４０Ａに含まれたスイッチ素子の動作などによる放射ノイズ（Ｒａｄｉａｔｉｏｎ  Ｎｏｉｓｅ）が発生する。
【０１８３】
電圧制御回路３４０Ａで発生する放射ノイズは、携帯用機器の無線通信のためのアンテナの感度を減殺させることができる。７０Ｖの駆動電圧を生成する電圧制御回路３４０Ａと液体レンズ３２０を含むカメラモジュールを搭載した携帯用機器を試験した結果、カメラモジュールを作動すれば、携帯用機器に無線通信感度（ＲＦ無線感度）が１／５〜１／３の水準に落ちる問題が発生し得る。カメラモジュールを作動する場合、携帯用機器の無線通信感度が悪くなれば、携帯用機器を介しての映像通話の困難が発生し、無線通話中にカメラモジュールを用いることができないか、カメラモジュールを使ううちに無線通話を行うことが難しいことがあり得る。一方、無線通信感度が低くなることを克服するためにより多くの電力を消費する場合、携帯用機器のバッテリー容量の限界によって通信待機／可能時間が短くなる欠点が発生し得る。
【０１８４】
図１１は図９（ｂ）に示した電圧制御回路を説明する。
【０１８５】
図示のように、液体レンズ３２０は、二つの電極を介して電気エネルギーが印加されれば、キャパシターのような電気的特徴を有することができる（図７（ｂ）参照）。説明の便宜のために、一つの個別端子Ｌ１と共通端子Ｃ０に界面の動きを誘導するための駆動電圧を供給する場合を例として説明する。
【０１８６】
図１１の（ａ）を参照すると、液体レンズ３２０の個別端子Ｌ１と共通端子Ｃ０には、４０Ｖの駆動電圧を供給することができる電圧制御回路３４０Ｂが連結される。電圧制御回路３４０Ｂは、４０Ｖ、３０Ｖの駆動電圧とグラウンド電圧の一つを個別端子Ｌ１又は共通端子Ｃ０に供給することができる。
【０１８７】
図１１の（ａ）及び図１０の（ａ）を参照すると、７０Ｖの駆動電圧を生成する電圧制御回路３４０Ａとは違い、電圧制御回路３４０Ｂは、液体レンズ３２０の個別端子Ｌ１と共通端子Ｃ０に印加するための４０Ｖの駆動電圧を生成することができる。液体レンズ３２０に４０Ｖの駆動電圧を印加するための電圧制御回路３４０Ｂは任意の直流電源を４０Ｖの駆動電圧に変換しなければならない。例えば、液体レンズ３２０が含まれたカメラモジュールが携帯用機器に搭載される場合、携帯用機器で使用する電源電圧は大部分２．５〜５Ｖの範囲を有する。電圧制御回路３４０Ｂが２．５〜５Ｖの電源電圧を用いて４０Ｖの駆動電圧を生成する必要がある。図１０の（ａ）で説明した電圧制御回路３４０Ａに比べて、電圧制御回路３４０Ｂは電源電圧を昇圧させる範囲が大きく低くなって体積を大きく減らすことができる。また、昇圧の範囲が減少することにより、電圧制御回路３４０Ｂに含まれたスイッチ素子の動作などによって発生する放射ノイズ（Ｒａｄｉａｔｉｏｎ  Ｎｏｉｓｅ）が大きく減少する。
【０１８８】
一方、図１１の（ａ）で説明する電圧制御回路３４０Ｂは、抵抗Ｒ１を含むＤＣバイアス端３４２を含むことができる。ここで、ＤＣバイアス端３４２は、液体レンズ３２０に含まれる全ての個別端子Ｌ１〜Ｌ４と共通端子Ｃ０に印加される駆動電圧を生成する電圧制御回路３４０Ｂの出力端ごとに配置されることができる。
【０１８９】
図１１の（ｂ）を参照すると、電圧制御回路３４０Ｂは、個別端子Ｌ１又は共通端子Ｃ０に４０Ｖの駆動電圧を既定の第１区間Ｐ１の間に印加することができる。その後、既定の第１区間Ｐ１の間に３０Ｖの駆動電圧が液体レンズ３２０内の個別端子Ｌ１又は共通端子Ｃ０に印加されることができる。液体レンズ３２０内の個別端子Ｌ１又は共通端子Ｃ０に４０Ｖの駆動電圧と３０Ｖの駆動電圧が印加される第２区間Ｐ２は図９（ｂ）で説明したスイッチング部３５０によって決定されることができる。ここで、第２区間Ｐ２は第１区間Ｐ１の２倍の長さを有することができる。
【０１９０】
まず、第１区間Ｐ１の間に電圧制御回路３４０Ｂは昇圧した４０Ｖの駆動電圧を印加した後にフローティングすれば、ＤＣバイアス端３４２の高抵抗によって液体レンズ３２０内の個別端子Ｌ１又は共通端子Ｃ０されていた電荷が速い速度に放出されずに第１区間Ｐ１の間に維持されることができる。ここで、４０Ｖの駆動電圧はＤＣバイアス端３４２に含まれた抵抗Ｒ１の大きさに対応して既定の比率だけ減少することができる。ＤＣバイアス端３４２の抵抗Ｒ１は、４０Ｖの駆動電圧が第１区間Ｐ１の間に３０Ｖの駆動電圧に維持されるように設計されることができる。
【０１９１】
図１０の（ｂ）及び図１１の（ｂ）を比較すると、液体レンズ３２０内の個別端子Ｌ１又は共通端子Ｃ０に印加される駆動電圧の実効値（Ｖｒｍｓ）は同一であることが分かる。液体レンズ３２０内の界面の動きを誘導するための電気エネルギーの量は駆動電圧の実効値（Ｖｒｍｓ）と理解することができる。実効値（Ｖｒｍｓ）は液体レンズ３２０内の個別端子Ｌ１又は共通端子Ｃ０に印加される駆動電圧の波形の面積（図面で灰色で表示した面積）が実効値（Ｖｒｍｓ）に対応する。図１０の（ｂ）及び図１１の（ｂ）を比較すると、高さ（電圧の大きさ）は違うが駆動電圧が印加される区間に違いがあるから、液体レンズ３２０に印加される駆動電圧の実効値（Ｖｒｍｓ）は実質的に同一であり、液体レンズ３２０内の界面の動きが誘導されることができる。
【０１９２】
図１２は図９（ａ）及び図９（ｂ）に示した電圧制御回路を含むカメラモジュールを比較して説明する。具体的に、図１２の（ａ）は７０Ｖの駆動電圧を生成する電圧制御回路３４０Ａを含むカメラモジュール１００Ａを説明し、図１２の（ｂ）は４０Ｖの駆動電圧を生成する電圧制御回路３４０Ｂを含むカメラモジュール１００Ｂを説明する。
【０１９３】
図１２の（ａ）及び図１２の（ｂ）を比較すると、制御回路２４Ａ、２４Ｂの大きさ、体積の減少によってカメラモジュール１００Ａ、１００Ｂの全体大きさが減少することが分かる。７０Ｖの駆動電圧を生成する電圧制御回路３４０Ａを含むカメラモジュール１００Ａの大きさＳ１に比べて４０Ｖの駆動電圧を生成する電圧制御回路３４０Ｂを含むカメラモジュール１００Ｂの大きさＳ２は約１５％以上減少することができる。カメラモジュール１００Ｂの大きさ、体積の減少は携帯用機器にカメラモジュール１００Ｂが適用されることができる範囲を増やすことができる。
【０１９４】
また、４０Ｖの駆動電圧を生成する電圧制御回路３４０Ｂを含むカメラモジュール１００Ｂで発生する放射ノイズも減少することができる。これにより、カメラモジュール１００Ｂが搭載される携帯用機器での無線通信感度の低下を抑制することができる。
【０１９５】
前述した液体レンズはカメラモジュールに含まれることができる。カメラモジュールは、ハウジングに実装される液体レンズ及び液体レンズの前面又は後面に配置されることができる少なくとも一つの固体レンズを含むレンズアセンブリー、レンズアセンブリーを介して伝達される光信号を電気信号に変換するイメージセンサー、及び液体レンズに駆動電圧を供給するための制御回路を含むことができる。
【０１９６】
実施例に関連して、前述したようにいくつかのみ記述したが、その他にも多様な形態の実施が可能である。前述した実施例の技術的内容は互いに両立することができない技術ではない限り、多様な形態に組み合わせられることができ、これにより新しい実施形態に具現化されることもできる。
【０１９７】
前述したカメラモジュールを含む光学機器（Ｏｐｔｉｃａｌ  Ｄｅｖｉｃｅ、Ｏｐｔｉｃａｌ  Ｉｎｓｔｒｕｍｅｎｔ）を具現化することができる。  ここで、光学機器としては、光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメータ装置、レンズメーター装置などがあり、液体レンズを含むことができる光学機器に本発明の実施例を適用することができる。また、光学機器は、スマートフォン、ノートブック型コンピュータ、タブレット型コンピュータなどの携帯用装置に具現化されることができる。このような光学機器は、カメラモジュール、映像を出力するディスプレイ部、カメラモジュールとディスプレイ部を実装する本体ハウジングを含むことができる。光学機器は、本体ハウジングに他の機器と通信することができる通信モジュールが実装されることができ、データを記憶することができるメモリ部をさらに含むことができる。
【０１９８】
上述した実施例による方法はコンピュータで実行されるためのプログラムに製作されてコンピュータ可読の記録媒体に記録されることができ、コンピュータ可読の記録媒体の例としては、ＲＯＭ、ＲＡＭ、ＣＤ−ＲＯＭ、磁気テープ、フロッピーディスク、光データ記憶装置などが含まれる。
【０１９９】
コンピュータ可読の記録媒体はネットワークで連結されたコンピュータシステムに分散され、分散方式でコンピュータが読めるコードが記憶されて実行されることができる。そして、上述した方法を具現化するための機能的な（ｆｕｎｃｔｉｏｎ）プログラム、コード及びコードセグメントは実施例が属する技術分野のプログラマーによって容易に推論可能である。
【０２００】
実施例は本発明の精神及び必須の特徴から逸脱しない範囲で他の特定の形態に具体化することができることは当業者に明らかである。したがって、前記詳細な説明は全ての面で制限的に解釈されてはいけなくて例示的なものとして考慮されなければならない。本発明の範囲は添付の請求項の合理的解釈によって決定されなければならず、本発明の等価的範囲内の全ての変更は本発明の範囲に含まれる。
【０２０１】
［発明の実施のための形態］
発明の実施のための形態は前述した“発明を実施するための形態”で充分に説明された。
【産業上の利用可能性】
【０２０２】
実施例によるカメラモジュールは、カメラ／ビデオ装置、望遠鏡装置、顕微鏡装置、干渉計装置、光度計装置、偏光計装置、分光計装置、反射計装置、オートコリメータ装置、レンズメーター装置、スマートフォン、ノートブック型コンピュータ、タブレット型コンピュータなどに適用可能である。
【図１】
2021515262.tif 000003
【図２】
2021515262.tif 000004
【図３】
2021515262.tif 000005
【図４】
2021515262.tif 000006
【図５】
2021515262.tif 000007
【図６】
2021515262.tif 000008
【図７（ａ）】
2021515262.tif 000009
【図７（ｂ）】
2021515262.tif 000010
【図８】
2021515262.tif 000011
【図９（ａ）】
2021515262.tif 000012
【図９（ｂ）】
2021515262.tif 000013
【図１０（ａ）】
2021515262.tif 000014
【図１０（ｂ）】
2021515262.tif 000015
【図１１（ａ）】
2021515262.tif 000016
【図１１（ｂ）】
2021515262.tif 000017
【図１２（ａ）】
2021515262.tif 000018
【図１２（ｂ）】
2021515262.tif 000019
【手続補正書】
【提出日】令和2年9月29日(2020.9.29)
【手続補正２】
【補正対象書類名】明細書
【補正対象項目名】０００１
【補正方法】変更
【補正の内容】
【０００１】
本発明は液体レンズを含むカメラモジュールに関するものである。より具体的に、本発明は電気エネルギーを用いて焦点距離を調整することができる液体レンズを制御するための制御モジュール又は制御装置を含むカメラモジュール及び光学機器に関するものである。
【手続補正３】
【補正対象書類名】明細書
【補正対象項目名】００３４
【補正方法】変更
【補正の内容】
【００３４】
まず、レンズアセンブリー２２は、複数のレンズ部及び複数のレンズ部を収容するホルダーを含むことができる。後述するように、複数のレンズ部は液体レンズを含むことができ、第１レンズ部又は第２レンズ部をさらに含むことができる。もしくは、複数のレンズ部は、第１及び第２レンズ部及び液体レンズ部を含むことができる。
【手続補正４】
【補正対象書類名】明細書
【補正対象項目名】００４１
【補正方法】変更
【補正の内容】
【００４１】
実施例によれば、図２に示したカメラモジュール１００の構成要素１１０〜１７６の少なくとも一つは省略することができる。もしくは、図２に示した構成要素１１０〜１７６と違う少なくとも一つの構成要素をカメラモジュール１００にさらに付け加えて含むこともできる。
【手続補正５】
【補正対象書類名】明細書
【補正対象項目名】００４６
【補正方法】変更
【補正の内容】
【００４６】
ここで、中心軸とは、カメラモジュール１００に含まれた第１レンズ部１１０、１１０Ａ、液体レンズ部１４０及び第２レンズ部１３０、１３０Ａが形成する光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の光軸に相当することができる。すなわち、第１レンズ部１１０、１１０Ａ、液体レンズ部１４０、第２レンズ部１３０、１３０Ａ及びイメージセンサー１８２はアクティブアライン（ＡＡ：Ａｃｔｉｖｅ  Ａｌｉｇｎ）によって光軸ＬＸに整列されて配置されることができる。
【手続補正６】
【補正対象書類名】明細書
【補正対象項目名】００５１
【補正方法】変更
【補正の内容】
【００５１】
仮に、ミドルベース１７２を省略する場合、グリッパーがホルダー１２０の突出部１２４を把持した状態でアクティブアラインを遂行することができる。ここで、突出部１２４の厚さが薄い場合、アクティブアラインを正確に遂行することができないこともある。これを防止するために、カメラモジュール１００は、ホルダー１２０の突出部１２４より大きい厚さを有するミドルベース１７２を含むことができる。ミドルベース１７２の形状より相対的に複雑なホルダー１２０の形状を射出などで形成するために、ホルダー１２０の厚さ管理が必要であり得る。アクティブアラインのためのホルダー１２０部分の厚さがグリップに十分ではない場合、ミドルベース１７２を追加してミドルベース１７２部分をグリップしてアクティブアラインを遂行することができる。しかし、突出部１２４の厚さが充分に厚い場合、ミドルベース１７２は省略することができる。また、突出部１２４とミドルベース１７２は接着部材、例えばエポキシによって互いに結合することができる。
【手続補正７】
【補正対象書類名】明細書
【補正対象項目名】００５４
【補正方法】変更
【補正の内容】
【００５４】
また、第１レンズ部１１０、１１０Ａの上側に露出レンズが配置されることができる。ここで、露出レンズとは、第１レンズ部１１０、１１０Ａに含まれたレンズの中で最外殻レンズを意味することができる。すなわち、第１レンズ部１１０Ａの最上側に位置するレンズＬ１が上部に突出するので、露出レンズの機能をすることができる。露出レンズはホルダー１２０の外部に突出して表面が損傷する可能性を有する。仮に、露出レンズの表面が損傷する場合、カメラモジュール１００で撮影されるイメージの画質が低下することができる。よって、露出レンズの表面損傷を防止及び抑制するために、露出レンズの上部にカバーガラス（ｃｏｖｅｒ  ｇｌａｓｓ）を配置するか、コーティング層を形成するか、露出レンズの表面損傷を防止するために、他のレンズ部のレンズより剛性の高い耐磨耗性素材から露出レンズを具現化することもできる。
【手続補正８】
【補正対象書類名】明細書
【補正対象項目名】００５７
【補正方法】変更
【補正の内容】
【００５７】
図２の場合、第１連結基板１４１と第２連結基板１４４が−ｚ軸方向にベンディングされる前の平面図を示す反面、図３の場合、第１連結基板１４１と第２連結基板１４４が−ｚ軸方向にベンディングされた後の形状を示す。また、図３に示したように、スペーサー１４３は、第１連結基板１４１と第２連結基板１４４との間に配置されることができ、ホルダー１２０の第１又は第２開口ＯＰ１、ＯＰ２の少なくとも一つから突出して配置されることができる。
【手続補正９】
【補正対象書類名】明細書
【補正対象項目名】００６４
【補正方法】変更
【補正の内容】
【００６４】
カメラモジュール１００の外部から第１レンズ部１１０、１１０Ａに入射した光は液体レンズ部１４０を通過して第２レンズ部１３０、１３０Ａに入射することができる。第２レンズ部１３０、１３０Ａは単一のレンズから具現化されることもでき、中心軸を基準に整列されて光学系を形成する２個以上の複数のレンズから具現化されることもできる。例えば、図３に例示したように、第２レンズ部１３０Ａは、３個のレンズＬ３、Ｌ４、Ｌ５を含むことができるが、これは例示的なものであり、第２レンズ部１３０、１３０Ａに含まれたレンズの個数は２個以下又は４個以上であり得る。
【手続補正１０】
【補正対象書類名】明細書
【補正対象項目名】００８２
【補正方法】変更
【補正の内容】
【００８２】
また、図３を参照すると、ホルダー１２０は、液体レンズ部１４０上に配置されたホルダー上部領域１２０Ｕ及び液体レンズ部１４０の下に配置されたホルダー下部領域１２０Ｄを含むことができる。ここで、第１及び第２接着部材（図示せず）のそれぞれはホルダー上部領域１２０Ｕ及びホルダー下部領域１２０Ｄのそれぞれと液体レンズ部１４０とを結合させることができる。
【手続補正１１】
【補正対象書類名】明細書
【補正対象項目名】００８５
【補正方法】変更
【補正の内容】
【００８５】
また、上側開口１７０Ｈには光透過性物質から構成されたウィンドウが配置されることができ、これにより、カメラモジュール１００の内部にほこりや水分などの異物が浸透することを防止することができる。
【手続補正１２】
【補正対象書類名】明細書
【補正対象項目名】００９６
【補正方法】変更
【補正の内容】
【００９６】
一方、コネクタ１５３は、メイン基板１５０をカメラモジュール１００の外部の電源又はその他の装置（例えば、ａｐｐｌｉｃａｔｉｏｎ  ｐｒｏｃｅｓｓｏｒ）と電気的に連結することができる。
【手続補正１３】
【補正対象書類名】明細書
【補正対象項目名】００９８
【補正方法】変更
【補正の内容】
【００９８】
まず、メイン基板１５０にイメージセンサー１８２を装着し、ミドルベース１７２と結合又は配置されたホルダー１２０をメイン基板１５０に装着、着座、接触、仮固定、支持、結合、又は配置することができる。
【手続補正１４】
【補正対象書類名】明細書
【補正対象項目名】０１０２
【補正方法】変更
【補正の内容】
【０１０２】
その後、第１カバー１７０を第１レンズ部１１０、ホルダー１２０、第２レンズ部１３０、液体レンズ部１４０及びミドルベース１７２に被せることで、カメラモジュール１００を完成する。
【手続補正１５】
【補正対象書類名】明細書
【補正対象項目名】０１１０
【補正方法】変更
【補正の内容】
【０１１０】
図５に示した液体レンズ部は、第１連結基板１４１、液体レンズ１４２、スペーサー１４３及び第２連結基板１４４を含むことができる。スペーサー１４３についての説明は前述したものと同様であるので、重複説明を省略し、説明の便宜上、図５でスペーサー１４３の図示は省略する。
【手続補正１６】
【補正対象書類名】明細書
【補正対象項目名】０１１１
【補正方法】変更
【補正の内容】
【０１１１】
液体レンズ１４２は、相異なる種類の複数の液体ＬＱ１、ＬＱ２、第１〜第３プレート１４７、１４５、１４６、第１及び第２電極Ｅ１、Ｅ２及び絶縁層１４８を含むことができる。液体レンズ１４２は、光学層（図示せず）をさらに含むことができる。
【手続補正１７】
【補正対象書類名】明細書
【補正対象項目名】０１１４
【補正方法】変更
【補正の内容】
【０１１４】
第２液体ＬＱ２はオイル（ｏｉｌ）であり得る。例えば、フェニル（ｐｈｅｎｙｌ）系のシリコンオイルであり得る。第１液体ＬＱ１は、例えばエチレングリコール（ｅｔｈｙｌｅｎｅ  ｇｌｙｃｏｌ）と臭化ナトリウム（ＮａＢｒ）が混合されて形成されることができる。
【手続補正１８】
【補正対象書類名】明細書
【補正対象項目名】０１１５
【補正方法】変更
【補正の内容】
【０１１５】
第１液体ＬＱ１及び第２液体ＬＱ２のそれぞれは殺菌剤又は酸化防止剤の少なくとも１種を含むことができる。酸化防止剤はフェノール系酸化防止剤又はリン（Ｐ）系酸化防止剤であり得る。そして、殺菌剤は、アルコール系、アルデヒド系及びフェノール系のいずれか１種の殺菌剤であり得る。このように。第１液体ＬＱ１及び第２液体ＬＱ２のそれぞれが酸化防止剤と殺菌剤を含む場合、第１及び第２液体ＬＱ１、ＬＱ２が酸化するか微生物の繁殖によって第１及び第２液体ＬＱ１、ＬＱ２の物性が変化することを防止することができる。
【手続補正１９】
【補正対象書類名】明細書
【補正対象項目名】０１１７
【補正方法】変更
【補正の内容】
【０１１７】
第３及び第４開口の中でより広い開口の直径は液体レンズ１４２で要求する画角（ＦＯＶ）又は液体レンズ１４２がカメラモジュール１００で遂行しなければならない役割によって変わることができる。実施例によれば、第３開口の大きさ（又は面積、又は幅）Ｏ1より第４開口の大きさ（又は面積、又は幅）Ｏ2が大きいことができる。ここで、第３及び第４開口のそれぞれの大きさは水平方向（例えば、ｘ軸とｙ軸方向）への断面積であり得る。例えば、第３及び第４開口のそれぞれの大きさとは、開口の断面が円形であれば半径を意味し、開口の断面が正方形であれば対角線の長さを意味することができる。
【手続補正２０】
【補正対象書類名】明細書
【補正対象項目名】０１３０
【補正方法】変更
【補正の内容】
【０１３０】
第２プレート１４５は、第１レンズ部１１０、１１０Ａから入射する光が第１プレート１４７のキャビティＣＡの内部に進行するように許容する構成を有することができる。
【手続補正２１】
【補正対象書類名】明細書
【補正対象項目名】０１３１
【補正方法】変更
【補正の内容】
【０１３１】
第３プレート１４６は、第１プレート１４７のキャビティＣＡを通過した光が第２レンズ部１３０、１３０ａに進行するように許容する構成を有することができる。第３プレート１４６は第１液体ＬＱ１と直接接触することができる。
【手続補正２２】
【補正対象書類名】明細書
【補正対象項目名】０１３３
【補正方法】変更
【補正の内容】
【０１３３】
また、液体レンズ１４２の実際有効レンズ領域は、第１プレート１４７の第３及び第４開口の中で広い開口の直径（例えば、Ｏ2）より小さくてもよい。例えば、液体レンズ１４２の中心部を基準に狭い範囲の半径が実際に光を伝達する経路として使われる場合、第３プレート１４６の中心領域の直径（例えば、Ｏ3）は第１プレート１４７の第３及び第４開口の中で広い開口の直径（例えば、Ｏ2）より小さくてもよい。
【手続補正２３】
【補正対象書類名】明細書
【補正対象項目名】０１３５
【補正方法】変更
【補正の内容】
【０１３５】
また、絶縁層１４８は、キャビティＣＡの側壁を成す第１電極Ｅ１の一部を覆うように配置されることができる。また、絶縁層１４８は、第１プレート１４７の下面で、第１電極Ｅ１の一部と第１プレート１４７及び第２電極Ｅ２の一部とを覆うように配置されることができる。これにより、第１電極Ｅ１と第１液体ＬＱ１との間の接触及び第１電極Ｅ１と第２液体ＬＱ２との間の接触が絶縁層１４８によって遮断されることができる。
【手続補正２４】
【補正対象書類名】明細書
【補正対象項目名】０１４７
【補正方法】変更
【補正の内容】
【０１４７】
制御部２２０はＡＦ機能及びＯＩＳ機能をするための構成を有し、使用者の要求又は感知結果（例えば、ジャイロセンサー２２５の動き信号など）を用いてレンズアセンブリー２５０に含まれた液体レンズ２８０を制御することができる。ここで、液体レンズ２８０は前述した液体レンズ１４２に相当することができる。
【手続補正２５】
【補正対象書類名】明細書
【補正対象項目名】０１５９
【補正方法】変更
【補正の内容】
【０１５９】
制御回路２１０は、制御回路２１０の通信又はインターフェースの機能を果たすコネクタ（図示せず）をさらに含むことができる。例えば、Ｉ2Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクタは通信プロトコル変換を遂行することができる。また、コネクタは、外部（例えば、バッテリー）から電源を受け、制御部２２０及びレンズアセンブリー２５０の動作に必要な電源を供給することができる。この場合、コネクタは図２に示したコネクタ１５３に相当することができる。
【手続補正２６】
【補正対象書類名】明細書
【補正対象項目名】０１６７
【補正方法】変更
【補正の内容】
【０１６７】
また、図７の（ｂ）を参照すると、液体レンズ１４２はその液体レンズ１４２の一側が第１電極Ｅ１の相異なる電極セクターＥ１１、Ｅ１２、Ｅ１３、Ｅ１４から電圧を受け、液体レンズ１４２の他側が第２電極Ｅ２の電極セクターＣ０と連結されて電圧を受ける複数のキャパシターＣＡＰとして説明されることができる。
【手続補正２７】
【補正対象書類名】明細書
【補正対象項目名】０１６９
【補正方法】変更
【補正の内容】
【０１６９】
ここで、二つの電極Ｅ１、Ｅ２は、伝導性液体ＬＱ１に露出される第２電極Ｅ２と、伝導性液体ＬＱ１に露出されない第１電極Ｅ１とに区分される。図７の（ａ）及び図４を参照すると、伝導性液体ＬＱ１に露出される第２電極Ｅ２は共通端子Ｃ０に連結されることができ、伝導性液体ＬＱ１に露出されない第１電極Ｅ１は相異なる個別端子Ｌ１、Ｌ２、Ｌ３、Ｌ４と連結されることができる。互いに異なる個別端子Ｌ１、Ｌ２、Ｌ３、Ｌ４と連結される第１電極Ｅ１は、電気的及び物理的に区分された複数のセグメントに区分されることができる。
【手続補正２８】
【補正対象書類名】明細書
【補正対象項目名】０１７１
【補正方法】変更
【補正の内容】
【０１７１】
図７の（ａ）及び図５で説明した液体レンズ１４２は、図７の（ｂ）で説明したように、第１電極Ｅ１に含まれた複数のセグメントを基準として電気的特性を複数に区分して並列で連結した単位キャパシターとして説明することができる。また、液体レンズ１４２の第２電極Ｅ２と第１電極Ｅ１を基準とすれば、電気的特性を単一のキャパシターとして説明することができる。第２電極Ｅ２の面積と第１電極Ｅ１の面積が実質的に同一である場合、液体レンズ１４２を一つのキャパシターと見なすと、キャパシターの二つの電極の面積が実質的に同一であることを意味することができる。また、第１電極Ｅ１に含まれた複数のセグメントがいずれも実質的に同じ面積を有すれば、並列で連結された単位キャパシターのキャパシタンスが同一の環境又は条件で実質的に同一であることを意味することができる。この場合、キャパシターと説明することができる液体レンズ１４２の電気的特徴をより明確に特定することができるので、液体レンズ１４２の制御をより精巧で正確に遂行することができ、制御上の誤差を減らすことができる。これは、液体レンズ１４２の動作安全性及び性能を向上させる要因になる。
【手続補正２９】
【補正対象書類名】明細書
【補正対象項目名】０１７３
【補正方法】変更
【補正の内容】
【０１７３】
図示のように、カメラモジュールは、液体レンズ３２０内の界面３１０の動きを誘導するための電圧ＶL1、ＶL2、ＶL3、ＶL4、ＶCOを生成するための電圧制御回路３４０、電圧制御回路３４０と液体レンズ３２０との間に配置されるスイッチング部３５０、及びスイッチング部３５０と電圧制御回路３４０を制御するための制御部３６０を含むことができる。ここで、液体レンズ３２０は、図４、図５又は図７で説明する液体レンズを簡略に図式化したものであり、４個の個別端子Ｌ１、Ｌ２、Ｌ３、Ｌ４と１個の共通端子Ｃ０を含むことができる。実施例によって、液体レンズ３２０内の個別端子の数は４の倍数であり得る。
【手続補正３０】
【補正対象書類名】明細書
【補正対象項目名】０１９０
【補正方法】変更
【補正の内容】
【０１９０】
まず、第１区間Ｐ１の間に電圧制御回路３４０Ｂは昇圧した４０Ｖの駆動電圧を印加した後にフローティングすれば、ＤＣバイアス端３４２の高抵抗によって液体レンズ３２０内の個別端子Ｌ１又は共通端子Ｃ０に流入していた電荷が速い速度に放出されずに第１区間Ｐ１の間に維持されることができる。ここで、４０Ｖの駆動電圧はＤＣバイアス端３４２に含まれた抵抗Ｒ１の大きさに対応して既定の比率だけ減少することができる。ＤＣバイアス端３４２の抵抗Ｒ１は、４０Ｖの駆動電圧が第１区間Ｐ１の間に３０Ｖの駆動電圧に維持されるように設計されることができる。
【手続補正３１】
【補正対象書類名】特許請求の範囲
【補正対象項目名】全文
【補正方法】変更
【補正の内容】
【特許請求の範囲】
【請求項１】
液体レンズ、電圧制御回路及びスイッチング部を含み、
前記液体レンズは、
伝導性液体及び非伝導性液体が配置されるキャビティを含む第１プレートと、
前記第１プレートの上に配置される第２プレートと、
前記第１プレートの下に配置される第３プレートと、を含み、
共通電極は、前記第１プレートの一側に配置され、
複数の個別電極は、前記第１プレートの他側に配置され、
前記電圧制御回路は、
第１電圧を出力する第１電圧発生器と、
前記第１電圧発生器の出力端とグラウンド電圧との間に配置されるＤＣバイアス端と、を含み、
前記スイッチング部は、
前記第１電圧と前記グラウンド電圧の中で一つを選択して前記複数の個別電極に伝達する複数の第１スイッチと、
前記第１電圧と前記グラウンド電圧の中で一つを選択して前記共通電極に伝達する第２スイッチと、を含む、カメラモジュール。
【請求項２】
前記複数の個別電極又は前記共通電極に、前記第１電圧は、既定の時間の間に印加され、
前記第１電圧が印加された後、前記既定の時間の間に、前記第１電圧より低いが前記グラウンド電圧より高い第２電圧は、前記複数の個別電極又は前記共通電極に印加される、請求項１に記載のカメラモジュール。
【請求項３】
前記第１電圧と前記第２電圧との和は、７０Ｖであり、
前記第１電圧と前記第２電圧との比率は、前記ＤＣバイアス端に含まれた抵抗の大きさに対応する、請求項２に記載のカメラモジュール。
【請求項４】
前記第１電圧が前記既定の時間の間に前記第２電圧に維持されるように、前記ＤＣバイアス端に含まれた抵抗の値は、決定される、請求項２又は３に記載のカメラモジュール。
【請求項５】
前記第１電圧は、４０Ｖであり、
前記第２電圧は、３０Ｖである、請求項２〜４のいずれか一項に記載のカメラモジュール。
【請求項６】
前記ＤＣバイアス端は、前記第１電圧発生器の出力端とグラウンド電圧との間に配置される抵抗を含む、請求項２〜５のいずれか一項に記載のカメラモジュール。
【請求項７】
前記第１電圧発生器は、前記既定の時間の間に前記第１電圧を出力し、
前記複数の第１スイッチ又は前記第２スイッチは、前記既定の時間の２倍の間に前記複数の個別電極又は前記共通電極と前記第１電圧発生器とを連結する、請求項２〜６のいずれか一項に記載のカメラモジュール。
【請求項８】
前記第１電圧発生器、前記複数の第１スイッチ、及び前記第２スイッチを制御する制御部を含み、
前記制御部は、
前記第１電圧発生器を活性化させる第１制御信号と、
前記複数の第１スイッチを活性化させる複数の第２制御信号と、
前記第２スイッチを活性化させる第３制御信号と、を出力する、請求項１〜７のいずれか一項に記載のカメラモジュール。
【請求項９】
前記第１制御信号、前記複数の第２制御信号及び前記第３制御信号は、パルス幅変調（Pulse Width Modulation、ＰＷＭ）信号であり、
前記第１制御信号の活性化区間より、前記複数の第２制御信号及び前記第３制御信号の活性化区間は、２倍長い、請求項８に記載のカメラモジュール。
【請求項１０】
前記複数の個別電極の数、前記複数の第１スイッチの数及び前記複数の第２制御信号の数は、４の倍数であり、全てが同一である、請求項８又は９に記載のカメラモジュール。
【請求項１１】
前記第１電圧発生器は、任意の直流電源を負荷が要求する形態の直流電源に変換させるＤＣ−ＤＣコンバーターを含む、請求項１〜１０のいずれか一項に記載のカメラモジュール。
【請求項１２】
前記ＤＣバイアス端は、前記複数の個別電極と前記共通電極に印加される駆動電圧を生成する前記電圧制御回路の出力端ごとに配置される、請求項１〜１１のいずれか一項に記載のカメラモジュール。
【請求項１３】
前記スイッチング部は、前記第１電圧、前記第１電圧より低いが前記グラウンド電圧より高い第２電圧及び前記グラウンド電圧の一つを前記複数の個別電極の中で該当個別電極又は前記共通電極に供給する、請求項１〜１２のいずれか一項に記載のカメラモジュール。
【請求項１４】
液体レンズ、電圧制御回路及びスイッチング部を含み、
前記液体レンズは、
伝導性液体及び非伝導性液体が配置されるキャビティを含む第１プレートと、
前記第１プレート上に配置される第２プレートと、
前記第１プレートの下に配置される第３プレートと、
前記第１プレートの一側に配置される共通電極と、
前記第１プレートの他側に配置される複数の個別電極と、を含み、
前記電圧制御回路は、
第１電圧を出力する第１電圧発生器と、
前記第１電圧発生器の出力端に連結される一側及び基準電位に連結される他側を有する負荷と、を含み、
前記スイッチング部は、前記負荷の一側と前記基準電位との間に連結され、
前記スイッチング部は、
前記第１電圧及び基準電圧の一つを選択して前記複数の個別電極に伝達する複数の第１スイッチと、
前記第１電圧及び前記基準電圧の一つを選択して前記共通電極に伝達する第２スイッチと、を含む、カメラモジュール。
【請求項１５】
前記複数の個別電極又は前記共通電極に、前記第１電圧は、既定の時間の間に印加され、
前記第１電圧が印加された後、前記既定の時間の間に、前記第１電圧より低いが前記グラウンド電圧より高い第２電圧は、前記複数の個別電極又は前記共通電極に印加される、請求項１４に記載のカメラモジュール。
【請求項１６】
前記第１電圧が前記既定の時間の間に前記第２電圧に維持されるように、前記抵抗の値は、決定される、請求項１５に記載のカメラモジュール。
【請求項１７】
前記スイッチング部を制御して前記既定の時間を調整する制御部を含む、請求項１５又は１６に記載のカメラモジュール。
【請求項１８】
前記制御部は、
前記第１電圧発生器を活性化させる第１制御信号と、
前記複数の第１スイッチを活性化させる複数の第２制御信号と、
前記第２スイッチを活性化させる第３制御信号と、を出力する、請求項１７に記載のカメラモジュール。
【手続補正３２】
【補正対象書類名】図面
【補正対象項目名】図２
【補正方法】変更
【補正の内容】
【図２】
2021515262.tif 000020
【手続補正３３】
【補正対象書類名】図面
【補正対象項目名】図７
【補正方法】変更
【補正の内容】
【図７】
2021515262.tif 000021
【手続補正書】
【提出日】令和3年4月16日(2021.4.16)
【手続補正１】
【補正対象書類名】手続補正書
【補正対象項目名】手続補正３３
【補正方法】変更
【補正の内容】
【手続補正３３】
【補正対象書類名】図面
【補正対象項目名】図７（ａ）
【補正方法】変更
【補正の内容】
【図７（ａ）】
2021515262.tif 000022
【手続補正２】
【補正対象書類名】手続補正書
【補正対象項目名】手続補正３４
【補正方法】追加
【補正の内容】
【手続補正３４】
【補正対象書類名】図面
【補正対象項目名】図７（ｂ）
【補正方法】変更
【補正の内容】
【図７（ｂ）】
2021515262.tif 000023
【国際調査報告】
2021515262.tif 000024
2021515262.tif 000025
2021515262.tif 000026
2021515262.tif 000027